(57)【特許請求の範囲】
【請求項１】
ユーザ機器（ＵＥ）において、送信電力制御（ＴＰＣ）コマンドのグループを備える制御情報を受信することと、
コンポーネントキャリアのグループを定義する無線ネットワーク一時識別子（ＲＮＴＩ）と前記ＲＮＴＩによって定義された前記コンポーネントキャリアのグループのための複数のＴＰＣインデックスとの組み合わせに基づいて、前記ＴＰＣコマンドのグループから、前記コンポーネントキャリアのグループからの対応する複数のコンポーネントキャリア上でのアップリンク送信の電力を調整するために使用すべき、１つまたは複数のＴＰＣコマンドのロケーションを決定することと、
前記決定されたＴＰＣコマンドに従って前記複数のコンポーネントキャリアのうちの１つまたは複数の送信電力を調整することと
を備える、ワイヤレス通信のための方法。
【請求項２】
前記複数のＴＰＣインデックスの各々と前記複数のコンポーネントキャリアのうちの対応する１つとの間の関連付けを決定すること
をさらに備える、請求項１に記載の方法。
【請求項３】
無線リンク制御（ＲＬＣ）レイヤシグナリングを通じて前記関連付けのインジケーションを受信することをさらに備える、請求項２に記載の方法。
【請求項４】
前記複数のＴＰＣインデックスのうちの少なくとも１つと前記複数のコンポーネントキャリア中の２つ以上のコンポーネントキャリアとの間の関連付けを決定すること
をさらに備える、請求項１に記載の方法。
【請求項５】
前記送信電力を調整することが、ＴＰＣコマンドの前記グループからの単一のＴＰＣコマンドに基づいて前記２つ以上のコンポーネントキャリアの送信電力を調整することを備える、請求項４に記載の方法。
【請求項６】
各ＴＰＣインデックスが、前記複数のコンポーネントキャリア中の対応するコンポーネントキャリアの制御チャネルまたはデータチャネルのうちの少なくとも１つに関連付けられる、請求項１に記載の方法。
【請求項７】
前記送信電力を調整することが、
第１のＴＰＣインデックスによって決定された、ＴＰＣコマンドの前記グループ中のロケーションを有するＴＰＣコマンドに応答して、第１のコンポーネントキャリアの物理アップリンク制御チャネル（ＰＵＣＣＨ）の送信電力を調整することと、
第２のＴＰＣインデックスによって決定された、ＴＰＣコマンドの前記グループ中のロケーションを有するＴＰＣコマンドに応答して、前記第１のコンポーネントキャリアの物理アップリンク共有チャネル（ＰＵＳＣＨ）の送信電力を調整することと
をさらに備える、請求項６に記載の方法。
【請求項８】
前記複数のコンポーネントキャリアの送信電力が実質的に同時に調整される、請求項１に記載の方法。
【請求項９】
前記ＴＰＣコマンドのうちの少なくとも１つは、１つまたは複数の対応するキャリアの送信電力が調整されるべきでないことを示す、請求項１に記載の方法。
【請求項１０】
コンポーネントキャリアのグループを定義する無線ネットワーク一時識別子（ＲＮＴＩ）と前記ＲＮＴＩによって定義された前記コンポーネントキャリアのグループのための複数の送信電力制御（ＴＰＣ）インデックスとを決定することであって、各インデックスが少なくとも１つのコンポーネントキャリアに関連付けられる、決定することと、
送信電力制御（ＴＰＣ）コマンドのグループを備える制御情報をユーザ機器（ＵＥ）に送信することであって、前記コンポーネントキャリアのグループからの対応するコンポーネントキャリア上でのアップリンク送信の電力を調整するために前記ＵＥが使用する、前記ＴＰＣコマンドのグループからの１つまたは複数のＴＰＣコマンドのロケーションが、前記ＲＮＴＩと前記複数のＴＰＣインデックスとの組み合わせに基づいて選択される、送信することと
を備える、ワイヤレス通信のための方法。
【請求項１１】
無線リンク制御（ＲＬＣ）レイヤシグナリングを通じて前記複数のＴＰＣインデックスの各々と前記少なくとも１つのコンポーネントキャリアとの間の関連付けのインジケーションを送信することをさらに備える、請求項１０に記載の方法。
【請求項１２】
前記送信することが、単一のコンポーネントキャリアについて複数のＴＰＣインデックスのインジケーションを送信することを備える、請求項１１に記載の方法。
【請求項１３】
前記送信することが、第１のＴＰＣインデックスとコンポーネントキャリアの第１のグループとの間の関連付け、および第２のＴＰＣインデックスとコンポーネントキャリアの第２のグループとの間の関連付けのインジケーションを送信することを備える、請求項１０に記載の方法。
【請求項１４】
前記送信することが、
第１の時間において、コンポーネントキャリアの前記第１のグループについてアップリンク送信の電力を調整するために前記ＵＥが使用する、前記第１のＴＰＣインデックスにおけるＴＰＣコマンドを有する制御情報を送信することと、
第２の時間において、コンポーネントキャリアの前記第２のグループについてアップリンク送信の電力を調整するために前記ＵＥが使用する、前記第２のＴＰＣインデックスにおけるＴＰＣコマンドを有する制御情報を送信することと
をさらに備える、請求項１３に記載の方法。
【請求項１５】
前記コンポーネントキャリアのうちの少なくとも１つが、コンポーネントキャリアの前記第１のグループおよびコンポーネントキャリアの前記第２のグループの両方に含まれる、請求項１３に記載の方法。
【請求項１６】
ユーザ機器（ＵＥ）において、送信電力制御（ＴＰＣ）コマンドのグループを備える制御情報を受信するための手段と、
コンポーネントキャリアのグループを定義する無線ネットワーク一時識別子（ＲＮＴＩ）と前記ＲＮＴＩによって定義された前記コンポーネントキャリアのグループのための複数のＴＰＣインデックスとの組み合わせに基づいて、前記ＴＰＣコマンドのグループから、前記コンポーネントキャリアのグループからの対応する複数のコンポーネントキャリア上でのアップリンク送信の電力を調整するために使用すべき、１つまたは複数のＴＰＣコマンドのロケーションを決定するための手段と、
前記決定されたＴＰＣコマンドに従って前記複数のコンポーネントキャリアのうちの１つまたは複数の送信電力を調整するための手段と
を備える、ワイヤレス通信のための装置。
【請求項１７】
前記複数のＴＰＣインデックスの各々と前記複数のコンポーネントキャリアのうちの対応する１つとの間の関連付けを決定するための手段
をさらに備える、請求項１６に記載の装置。
【請求項１８】
無線リンク制御（ＲＬＣ）レイヤシグナリングを通じて前記関連付けのインジケーションを受信するための手段をさらに備える、請求項１７に記載の装置。
【請求項１９】
前記複数のＴＰＣインデックスのうちの少なくとも１つと前記複数のコンポーネントキャリア中の２つ以上のコンポーネントキャリアとの間の関連付けを決定するための手段をさらに備える、請求項１６に記載の装置。
【請求項２０】
送信電力を調整するための前記手段が、ＴＰＣコマンドの前記グループからの単一のＴＰＣコマンドに基づいて前記２つ以上のコンポーネントキャリアの送信電力を調整するための手段を備える、請求項１９に記載の装置。
【請求項２１】
各ＴＰＣインデックスが、前記複数のコンポーネントキャリア中の対応するコンポーネントキャリアの制御チャネルまたはデータチャネルのうちの少なくとも１つに関連付けられる、請求項１６に記載の装置。
【請求項２２】
送信電力を調整するための前記手段が、
第１のＴＰＣインデックスによって決定された、ＴＰＣコマンドの前記グループ中のロケーションを有するＴＰＣコマンドに応答して、第１のコンポーネントキャリアの物理アップリンク制御チャネル（ＰＵＣＣＨ）の送信電力を調整するための手段と、
第２のＴＰＣインデックスによって決定された、ＴＰＣコマンドの前記グループ中のロケーションを有するＴＰＣコマンドに応答して、前記第１のコンポーネントキャリアの物理アップリンク共有チャネル（ＰＵＳＣＨ）の送信電力を調整するための手段と
をさらに備える、請求項２１に記載の装置。
【請求項２３】
前記複数のコンポーネントキャリアの送信電力が実質的に同時に調整される、請求項１６に記載の装置。
【請求項２４】
前記ＴＰＣコマンドのうちの少なくとも１つは、１つまたは複数の対応するキャリアの送信電力が調整されるべきでないことを示す、請求項１６に記載の装置。
【請求項２５】
コンポーネントキャリアのグループを定義する無線ネットワーク一時識別子（ＲＮＴＩ）と前記ＲＮＴＩによって定義された前記コンポーネントキャリアのグループのための複数の送信電力制御（ＴＰＣ）インデックスとを決定するための手段であって、各インデックスが少なくとも１つのコンポーネントキャリアに関連付けられる、決定するための手段と、
送信電力制御（ＴＰＣ）コマンドのグループを備える制御情報をユーザ機器（ＵＥ）に送信するための手段であって、前記コンポーネントキャリアのグループからの対応するコンポーネントキャリア上でのアップリンク送信の電力を調整するために前記ＵＥが使用する、前記ＴＰＣコマンドのグループからの１つまたは複数のＴＰＣコマンドのロケーションが、前記ＲＮＴＩと前記複数のＴＰＣインデックスとの組み合わせに基づいて選択される、送信するための手段と
を備える、ワイヤレス通信のための装置。
【請求項２６】
無線リンク制御（ＲＬＣ）レイヤシグナリングを通じて前記複数のＴＰＣインデックスの各々と前記少なくとも１つのコンポーネントキャリアとの間の関連付けのインジケーションを送信するための手段をさらに備える、請求項２５に記載の装置。
【請求項２７】
送信するための前記手段が、単一のコンポーネントキャリアについて複数のＴＰＣインデックスのインジケーションを送信するための手段を備える、請求項２６に記載の装置。
【請求項２８】
送信するための前記手段が、第１のＴＰＣインデックスとコンポーネントキャリアの第１のグループとの間の関連付け、および第２のＴＰＣインデックスとコンポーネントキャリアの第２のグループとの間の関連付けのインジケーションを送信するための手段を備える、請求項２５に記載の装置。
【請求項２９】
送信するための前記手段が、
第１の時間において、コンポーネントキャリアの前記第１のグループについてアップリンク送信の電力を調整するために前記ＵＥが使用する、前記第１のＴＰＣインデックスにおけるＴＰＣコマンドを有する制御情報を送信するための手段と、
第２の時間において、コンポーネントキャリアの前記第２のグループについてアップリンク送信の電力を調整するために前記ＵＥが使用する、前記第２のＴＰＣインデックスにおけるＴＰＣコマンドを有する制御情報を送信するための手段と
をさらに備える、請求項２８に記載の装置。
【請求項３０】
前記コンポーネントキャリアのうちの少なくとも１つが、コンポーネントキャリアの前記第１のグループおよびコンポーネントキャリアの前記第２のグループの両方に含まれる、請求項２８に記載の装置。
【請求項３１】
ユーザ機器（ＵＥ）において、送信電力制御（ＴＰＣ）コマンドのグループを備える制御情報を受信することと、
コンポーネントキャリアのグループを定義する無線ネットワーク一時識別子（ＲＮＴＩ）と前記ＲＮＴＩによって定義された前記コンポーネントキャリアのグループのための複数のＴＰＣインデックスとの組み合わせに基づいて、前記ＴＰＣコマンドのグループから、前記コンポーネントキャリアのグループからの対応する複数のコンポーネントキャリア上でのアップリンク送信の電力を調整するために使用すべき、１つまたは複数のＴＰＣコマンドのロケーションを決定することと、
前記決定されたＴＰＣコマンドに従って前記複数のコンポーネントキャリアのうちの１つまたは複数の送信電力を調整することと
を行うように構成された少なくとも１つのプロセッサと、
前記少なくとも１つのプロセッサに結合されたメモリと
を備える、ワイヤレス通信のための装置。
【請求項３２】
コンポーネントキャリアのグループを定義する無線ネットワーク一時識別子（ＲＮＴＩ）と前記ＲＮＴＩによって定義された前記コンポーネントキャリアのグループのための複数の送信電力制御（ＴＰＣ）インデックスとを決定することであって、各インデックスが少なくとも１つのコンポーネントキャリアに関連付けられる、決定することと、
送信電力制御（ＴＰＣ）コマンドのグループを備える制御情報をユーザ機器（ＵＥ）に送信することであって、前記コンポーネントキャリアのグループからの対応するコンポーネントキャリア上でのアップリンク送信の電力を調整するために前記ＵＥが使用する、前記ＴＰＣコマンドのグループからの１つまたは複数のＴＰＣコマンドのロケーションが、前記ＲＮＴＩと前記複数のＴＰＣインデックスとの組み合わせに基づいて選択される、送信することと
を行うように構成された少なくとも１つのプロセッサと、
前記少なくとも１つのプロセッサに結合されたメモリと
を備える、ワイヤレス通信のための装置。
【請求項３３】
１つまたは複数のプロセッサによって実行可能な命令を備える、ワイヤレス通信のためのコンピュータプログラムであって、前記命令が、
ユーザ機器（ＵＥ）において、送信電力制御（ＴＰＣ）コマンドのグループを備える制御情報を受信するための命令と、
コンポーネントキャリアのグループを定義する無線ネットワーク一時識別子（ＲＮＴＩ）と前記ＲＮＴＩによって定義された前記コンポーネントキャリアのグループのための複数のＴＰＣインデックスとの組み合わせに基づいて、前記ＴＰＣコマンドのグループから、前記コンポーネントキャリアのグループからの対応する複数のコンポーネントキャリア上でのアップリンク送信の電力を調整するために使用すべき、１つまたは複数のＴＰＣコマンドのロケーションを決定するための命令と、
前記決定されたＴＰＣコマンドに従って前記複数のコンポーネントキャリアのうちの１つまたは複数の送信電力を調整するための命令と
を備える、ワイヤレス通信のためのコンピュータプログラム。
【請求項３４】
１つまたは複数のプロセッサによって実行可能な命令を備える、ワイヤレス通信のためのコンピュータプログラムであって、前記命令が、
コンポーネントキャリアのグループを定義する無線ネットワーク一時識別子（ＲＮＴＩ）と前記ＲＮＴＩによって定義された前記コンポーネントキャリアのグループのための複数の送信電力制御（ＴＰＣ）インデックスとを決定するための命令であって、各インデックスが少なくとも１つのコンポーネントキャリアに関連付けられる、決定するための命令と、
送信電力制御（ＴＰＣ）コマンドのグループを備える制御情報をユーザ機器（ＵＥ）に送信するための命令であって、前記コンポーネントキャリアのグループからの対応するコンポーネントキャリア上でのアップリンク送信の電力を調整するために前記ＵＥが使用する、前記ＴＰＣコマンドのグループからの１つまたは複数のＴＰＣコマンドのロケーションが、前記ＲＮＴＩと前記複数のＴＰＣインデックスとの組み合わせに基づいて選択される、送信するための命令と
を備える、ワイヤレス通信のためのコンピュータプログラム。
【発明の詳細な説明】
【技術分野】
【０００１】
本特許出願は、本出願の譲受人に譲渡され、参照により本明細書に明確に組み込まれる、２００９年１０月５日に出願された「マルチキャリア動作のためのダウンリンク制御情報（Downlink Control Information For Multicarrier Operation）」と題された米国仮出願第６１／２４８，８１６号の優先権を主張する。
【０００２】
本開示は、一般に、通信に関し、より詳細には、マルチキャリアワイヤレス通信ネットワークにおける電力制御に関する。
【背景技術】
【０００３】
第３世代パートナーシッププロジェクト（３ＧＰＰ：3rd Generation Partnership Project）ロングタームエボリューション（ＬＴＥ：Long Term Evolution）は、セルラー技術における大きな進歩を表し、移動体通信用グローバルシステム（ＧＳＭ（登録商標）：Global System for Mobile Communications）およびユニバーサル・モバイル・テレコミュニケーション・システム（ＵＭＴＳ：Universal Mobile Telecommunications System）の自然進化としての、セルラー３Ｇサービスにおける次の前進ステップである。ＬＴＥは、最高５０メガビット毎秒（Ｍｂｐｓ）のアップリンク速度および最高１００Ｍｂｐｓのダウンリンク速度を提供し、セルラーネットワークに多くの技術的利益をもたらす。ＬＴＥは、この１０年間に及ぶ、高速データおよびメディアトランスポートならびに大容量ボイスサポートのためのキャリアニーズを満たすように設計されている。帯域幅は、１．２５ＭＨｚから２０ＭＨｚまでスケーラブルである。これは、様々な帯域幅割振りを有する様々なネットワークオペレータのニーズに適し、また、オペレータがスペクトルに基づいて様々なサービスを提供することを可能にする。ＬＴＥはまた、３Ｇネットワークにおけるスペクトル効率を改善して、キャリアが所与の帯域幅にわたってより多くのデータおよびボイスサービスを提供することを可能にすると予想されている。
【０００４】
ＬＴＥ規格の物理レイヤ（ＰＨＹ）は、拡張基地局（ｅノードＢ）とモバイルユーザ機器（ＵＥ）との間でデータおよび制御情報の両方を搬送する高効率な手段である。ＬＴＥ  ＰＨＹは、セルラーアプリケーションにとって新しい先端技術を採用する。これらには、直交周波数分割多重（ＯＦＤＭ）および多入力多出力（ＭＩＭＯ）データ伝送が含まれる。さらに、ＬＴＥ  ＰＨＹは、ダウンリンク（ＤＬ）では直交周波数分割多元接続（ＯＦＤＭＡ）を使用し、アップリンク（ＵＬ）ではシングルキャリア周波数分割多元接続（ＳＣ−ＦＤＭＡ）を使用する。ＯＦＤＭＡは、指定された数のシンボル期間について、データがサブキャリアごとのベースで複数のユーザからまたは複数のユーザへと移動されることを可能にする。
【発明の概要】
【０００５】
本開示の一態様では、ワイヤレス通信のための方法が提供される。該方法は、概して、ユーザ機器（ＵＥ）において、送信電力制御（ＴＰＣ）コマンドのグループを備える制御情報を受信することと、複数のＴＰＣインデックスに基づいて、該グループから、対応する複数のコンポーネントキャリア上でのアップリンク送信の電力を調整するために使用すべき、１つまたは複数のＴＰＣコマンドを決定することと、決定されたＴＰＣコマンドに従って複数のコンポーネントキャリアのうちの１つまたは複数の送信電力を調整することとを含む。
【０００６】
本開示の一態様では、ワイヤレス通信のための方法が提供される。該方法は、概して、１つまたは複数の送信電力制御（ＴＰＣ）インデックスと複数のコンポーネントキャリアとの間の関連付けを決定することであって、各インデックスが少なくとも１つのコンポーネントキャリアに関連付けられる、決定することと、送信電力制御（ＴＰＣ）コマンドのグループを備える制御情報をユーザ機器（ＵＥ）に送信することであって、対応するコンポーネントキャリア上でのアップリンク送信の電力を調整するためにＵＥが使用する、グループ中の複数のＴＰＣコマンドのロケーションが、複数のＴＰＣインデックスに基づいて選択される、送信することと、を含む。
【０００７】
本開示の一態様では、ワイヤレス通信のための方法が提供される。該方法は、概して、ユーザ機器（ＵＥ）において、１つまたは複数の無線ネットワーク一時識別子（ＲＮＴＩ）と複数のコンポーネントキャリアとの間の関連付けを決定することであって、各ＲＮＴＩが１つまたは複数のコンポーネントキャリアに関連付けられる、決定することと、ＲＮＴＩのうちの１つを使用して、１つまたは複数の送信電力制御（ＴＰＣ）コマンドを備える制御情報を復号することと、１つまたは複数のＴＰＣコマンドに従って、復号において使用されるＲＮＴＩに関連付けられた１つまたは複数のコンポーネントキャリアの送信電力を調整することと、を含む。
【０００８】
本開示の一態様では、ワイヤレス通信のための方法が提供される。該方法は、概して、１つまたは複数の無線ネットワーク一時識別子（ＲＮＴＩ）と複数のコンポーネントキャリアとの間の関連付けを決定することであって、各ＲＮＴＩが１つまたは複数のコンポーネントキャリアに関連付けられる、決定することと、１つまたは複数の送信電力制御（ＴＰＣ）コマンドを備える制御情報をユーザ機器（ＵＥ）に送信することであって、制御情報は、ＴＰＣコマンドに従って電力が調整されるべきである対応する１つまたは複数のコンポーネントキャリアをＵＥに示すために選択されたＲＮＴＩを使用して送信される、送信することと、を含む。
【０００９】
本開示の一態様では、ワイヤレス通信のための方法が提供される。該方法は、概して、ユーザ機器（ＵＥ）において、１つまたは複数の送信電力制御（ＴＰＣ）コマンドを備えるダウンリンク制御情報（ＤＣＩ）メッセージを受信することと、対応する複数のコンポーネントキャリア上でのアップリンク送信の電力を調整するために使用すべき、ＤＣＩメッセージ中の１つまたは複数のＴＰＣコマンドを決定することと、決定されたＴＰＣコマンドに従って複数のコンポーネントキャリアの送信電力を調整することと、を含む。
【００１０】
本開示の一態様では、ワイヤレス通信のための方法が提供される。該方法は、概して、ユーザ機器に割り当てられた対応する複数のコンポーネントキャリア上でのアップリンク送信の電力を調整するための１つまたは複数の送信電力制御（ＴＰＣ）コマンドを備える制御情報を生成することと、制御情報をダウンリンク制御情報（ＤＣＩ）メッセージ中でＵＥに送信することと、を含む。
【００１１】
本開示の一態様では、ワイヤレス通信のための装置が提供される。該装置は、概して、ユーザ機器（ＵＥ）において、送信電力制御（ＴＰＣ）コマンドのグループを備える制御情報を受信するための手段と、複数のＴＰＣインデックスに基づいて、該グループから、対応する複数のコンポーネントキャリア上でのアップリンク送信の電力を調整するために使用すべき、１つまたは複数のＴＰＣコマンドを決定するための手段と、決定されたＴＰＣコマンドに従って複数のコンポーネントキャリアのうちの１つまたは複数の送信電力を調整するための手段と、を含む。
【００１２】
本開示の一態様では、ワイヤレス通信のための装置が提供される。該装置は、概して、１つまたは複数の送信電力制御（ＴＰＣ）インデックスと複数のコンポーネントキャリアとの間の関連付けを決定するための手段であって、各インデックスが少なくとも１つのコンポーネントキャリアに関連付けられる、決定するための手段と、送信電力制御（ＴＰＣ）コマンドのグループを備える制御情報をユーザ機器（ＵＥ）に送信するための手段であって、対応するコンポーネントキャリア上でのアップリンク送信の電力を調整するためにＵＥが使用する、グループ中の複数のＴＰＣコマンドのロケーションが、複数のＴＰＣインデックスに基づいて選択される、送信するための手段と、を含む。
【００１３】
本開示の一態様では、ワイヤレス通信のための装置が提供される。該装置は、概して、ユーザ機器（ＵＥ）において、１つまたは複数の無線ネットワーク一時識別子（ＲＮＴＩ）と複数のコンポーネントキャリアとの間の関連付けを決定するための手段であって、各ＲＮＴＩが１つまたは複数のコンポーネントキャリアに関連付けられる、決定するための手段と、ＲＮＴＩのうちの１つを使用して、１つまたは複数の送信電力制御（ＴＰＣ）コマンドを備える制御情報を復号するための手段と、１つまたは複数のＴＰＣコマンドに従って、復号において使用されるＲＮＴＩに関連付けられた１つまたは複数のコンポーネントキャリアの送信電力を調整するための手段と、を含む。
【００１４】
本開示の一態様では、ワイヤレス通信のための装置が提供される。該装置は、概して、１つまたは複数の無線ネットワーク一時識別子（ＲＮＴＩ）と複数のコンポーネントキャリアとの間の関連付けを決定するための手段であって、各ＲＮＴＩが１つまたは複数のコンポーネントキャリアに関連付けられる、決定するための手段と、１つまたは複数の送信電力制御（ＴＰＣ）コマンドを備える制御情報をユーザ機器（ＵＥ）に送信するための手段であって、制御情報は、ＴＰＣコマンドに従って電力が調整されるべきである対応する１つまたは複数のコンポーネントキャリアをＵＥに示すために選択されたＲＮＴＩを使用して送信される、送信するための手段と、を含む。
【００１５】
本開示の一態様では、ワイヤレス通信のための装置が提供される。該装置は、概して、ユーザ機器（ＵＥ）において、１つまたは複数の送信電力制御（ＴＰＣ）コマンドを備えるダウンリンク制御情報（ＤＣＩ）メッセージを受信するための手段と、対応する複数のコンポーネントキャリア上でのアップリンク送信の電力を調整するために使用すべき、ＤＣＩメッセージ中の１つまたは複数のＴＰＣコマンドを決定するための手段と、決定されたＴＰＣコマンドに従って複数のコンポーネントキャリアの送信電力を調整するための手段と、を含む。
【００１６】
本開示の一態様では、ワイヤレス通信のための装置が提供される。該装置は、概して、ユーザ機器に割り当てられた対応する複数のコンポーネントキャリア上でのアップリンク送信の電力を調整するための１つまたは複数の送信電力制御（ＴＰＣ）コマンドを備える制御情報を生成するための手段と、制御情報をダウンリンク制御情報（ＤＣＩ）メッセージ中でＵＥに送信するための手段と、を含む。
【００１７】
本開示の一態様では、ワイヤレス通信のための装置が提供される。該装置は、概して、ユーザ機器（ＵＥ）において、送信電力制御（ＴＰＣ）コマンドのグループを備える制御情報を受信することと、複数のＴＰＣインデックスに基づいて、該グループから、対応する複数のコンポーネントキャリア上でのアップリンク送信の電力を調整するために使用すべき、１つまたは複数のＴＰＣコマンドを決定することと、決定されたＴＰＣコマンドに従って複数のコンポーネントキャリアのうちの１つまたは複数の送信電力を調整することと、を行うように構成された少なくとも１つのプロセッサと、少なくとも１つのプロセッサに結合されたメモリと、を含む。
【００１８】
本開示の一態様では、ワイヤレス通信のための装置が提供される。該装置は、概して、１つまたは複数の送信電力制御（ＴＰＣ）インデックスと複数のコンポーネントキャリアとの間の関連付けを決定することであって、各インデックスが少なくとも１つのコンポーネントキャリアに関連付けられる、決定することと、送信電力制御（ＴＰＣ）コマンドのグループを備える制御情報をユーザ機器（ＵＥ）に送信することであって、対応するコンポーネントキャリア上でのアップリンク送信の電力を調整するためにＵＥが使用する、グループ中の複数のＴＰＣコマンドのロケーションが、複数のＴＰＣインデックスに基づいて選択される、送信することと、を行うように構成された少なくとも１つのプロセッサと、少なくとも１つのプロセッサに結合されたメモリと、を含む。
【００１９】
本開示の一態様では、ワイヤレス通信のための装置が提供される。該装置は、概して、ユーザ機器（ＵＥ）において、１つまたは複数の無線ネットワーク一時識別子（ＲＮＴＩ）と複数のコンポーネントキャリアとの間の関連付けを決定することであって、各ＲＮＴＩが１つまたは複数のコンポーネントキャリアに関連付けられる、決定することと、ＲＮＴＩのうちの１つを使用して、１つまたは複数の送信電力制御（ＴＰＣ）コマンドを備える制御情報を復号することと、１つまたは複数のＴＰＣコマンドに従って、復号において使用されるＲＮＴＩに関連付けられた１つまたは複数のコンポーネントキャリアの送信電力を調整することと、を行うように構成された少なくとも１つのプロセッサと、少なくとも１つのプロセッサに結合されたメモリと、を含む。
【００２０】
本開示の一態様では、ワイヤレス通信のための装置が提供される。該装置は、概して、１つまたは複数の無線ネットワーク一時識別子（ＲＮＴＩ）と複数のコンポーネントキャリアとの間の関連付けを決定することであって、各ＲＮＴＩが１つまたは複数のコンポーネントキャリアに関連付けられる、決定することと、１つまたは複数の送信電力制御（ＴＰＣ）コマンドを備える制御情報をユーザ機器（ＵＥ）に送信することであって、制御情報は、ＴＰＣコマンドに従って電力が調整されるべきである対応する１つまたは複数のコンポーネントキャリアをＵＥに示すために選択されたＲＮＴＩを使用して送信される、送信することと、を行うように構成された少なくとも１つのプロセッサと、少なくとも１つのプロセッサに結合されたメモリと、を含む。
【００２１】
本開示の一態様では、ワイヤレス通信のための装置が提供される。該装置は、概して、ユーザ機器（ＵＥ）において、１つまたは複数の送信電力制御（ＴＰＣ）コマンドを備えるダウンリンク制御情報（ＤＣＩ）メッセージを受信することと、対応する複数のコンポーネントキャリア上でのアップリンク送信の電力を調整するために使用すべき、ＤＣＩメッセージ中の１つまたは複数のＴＰＣコマンドを決定することと、決定されたＴＰＣコマンドに従って複数のコンポーネントキャリアの送信電力を調整することと、を行うように構成された少なくとも１つのプロセッサと、少なくとも１つのプロセッサに結合されたメモリと、を含む。
【００２２】
本開示の一態様では、ワイヤレス通信のための装置が提供される。該装置は、概して、ユーザ機器に割り当てられた対応する複数のコンポーネントキャリア上でのアップリンク送信の電力を調整するための１つまたは複数の送信電力制御（ＴＰＣ）コマンドを備える制御情報を決定することと、制御情報をダウンリンク制御情報（ＤＣＩ）メッセージ中でＵＥに送信することと、を行うように構成された少なくとも１つのプロセッサと、少なくとも１つのプロセッサに結合されたメモリと、を含む。
【００２３】
本開示の一態様では、１つまたは複数のプロセッサによって実行可能な命令が記憶されたコンピュータ可読媒体を備える、ワイヤレス通信のためのコンピュータプログラム製品が提供される。該命令は、概して、ユーザ機器（ＵＥ）において、送信電力制御（ＴＰＣ）コマンドのグループを備える制御情報を受信するための命令と、複数のＴＰＣインデックスに基づいて、該グループから、対応する複数のコンポーネントキャリア上でのアップリンク送信の電力を調整するために使用すべき、１つまたは複数のＴＰＣコマンドを決定するための命令と、決定されたＴＰＣコマンドに従って複数のコンポーネントキャリアのうちの１つまたは複数の送信電力を調整するための命令と、を含む。
【００２４】
本開示の一態様では、１つまたは複数のプロセッサによって実行可能な命令が記憶されたコンピュータ可読媒体を備える、ワイヤレス通信のためのコンピュータプログラム製品が提供される。該命令は、概して、１つまたは複数の送信電力制御（ＴＰＣ）インデックスと複数のコンポーネントキャリアとの間の関連付けを決定するための命令であって、各インデックスが少なくとも１つのコンポーネントキャリアに関連付けられる、決定するための命令と、送信電力制御（ＴＰＣ）コマンドのグループを備える制御情報をユーザ機器（ＵＥ）に送信するための命令であって、対応するコンポーネントキャリア上でのアップリンク送信の電力を調整するためにＵＥが使用する、グループ中の複数のＴＰＣコマンドのロケーションが、複数のＴＰＣインデックスに基づいて選択される、送信するための命令と、を含む。
【００２５】
本開示の一態様では、１つまたは複数のプロセッサによって実行可能な命令が記憶されたコンピュータ可読媒体を備える、ワイヤレス通信のためのコンピュータプログラム製品が提供される。該命令は、概して、ユーザ機器（ＵＥ）において、１つまたは複数の無線ネットワーク一時識別子（ＲＮＴＩ）と複数のコンポーネントキャリアとの間の関連付けを決定するための命令であって、各ＲＮＴＩが１つまたは複数のコンポーネントキャリアに関連付けられる、決定するための命令と、ＲＮＴＩのうちの１つを使用して、１つまたは複数の送信電力制御（ＴＰＣ）コマンドを備える制御情報を復号するための命令と、１つまたは複数のＴＰＣコマンドに従って、復号において使用されるＲＮＴＩに関連付けられた１つまたは複数のコンポーネントキャリアの送信電力を調整するための命令と、を含む。
【００２６】
本開示の一態様では、１つまたは複数のプロセッサによって実行可能な命令が記憶されたコンピュータ可読媒体を備える、ワイヤレス通信のためのコンピュータプログラム製品が提供される。該命令は、概して、１つまたは複数の無線ネットワーク一時識別子（ＲＮＴＩ）と複数のコンポーネントキャリアとの間の関連付けを決定するための命令であって、各ＲＮＴＩが１つまたは複数のコンポーネントキャリアに関連付けられる、決定するための命令と、１つまたは複数の送信電力制御（ＴＰＣ）コマンドを備える制御情報をユーザ機器（ＵＥ）に送信するための命令であって、制御情報は、ＴＰＣコマンドに従って電力が調整されるべきである対応する１つまたは複数のコンポーネントキャリアをＵＥに示すために選択されたＲＮＴＩを使用して送信される、送信するための命令と、を含む。
【００２７】
本開示の一態様では、１つまたは複数のプロセッサによって実行可能な命令が記憶されたコンピュータ可読媒体を備える、ワイヤレス通信のためのコンピュータプログラム製品が提供される。該命令は、概して、ユーザ機器（ＵＥ）において、１つまたは複数の送信電力制御（ＴＰＣ）コマンドを備えるダウンリンク制御情報（ＤＣＩ）メッセージを受信するための命令と、対応する複数のコンポーネントキャリア上でのアップリンク送信の電力を調整するために使用すべき、ＤＣＩメッセージ中の１つまたは複数のＴＰＣコマンドを決定するための命令と、決定されたＴＰＣコマンドに従って複数のコンポーネントキャリアの送信電力を調整するための命令と、を含む。
【００２８】
本開示の一態様では、１つまたは複数のプロセッサによって実行可能な命令が記憶されたコンピュータ可読媒体を備える、ワイヤレス通信のためのコンピュータプログラム製品が提供される。該命令は、概して、ユーザ機器に割り当てられた対応する複数のコンポーネントキャリア上でのアップリンク送信の電力を調整するための１つまたは複数の送信電力制御（ＴＰＣ）コマンドを備える制御情報を決定するための命令と、制御情報をダウンリンク制御情報（ＤＣＩ）メッセージ中でＵＥに送信するための命令と、を含む。
【図面の簡単な説明】
【００２９】
【図１】本開示のいくつかの態様による、マルチキャリア多元接続ワイヤレス通信システムを示す図。
【図２】本開示のいくつかの態様による、多入力多出力（ＭＩＭＯ）通信システムのブロック図。
【図３】本開示のいくつかの態様による、例示的なワイヤレス通信システムを示す図。
【図４】本開示のいくつかの態様による、電力制御情報を搬送するための例示的なメッセージフォーマットを示す図。
【図５】本開示のいくつかの態様による、電力制御情報を搬送するための例示的なメッセージフォーマットを示す図。
【図６】本開示のいくつかの態様による、複数の電力制御インデックスへの複数のキャリアの例示的なマッピングを示す図。
【図７】本開示のいくつかの態様による、電力制御インデックスを使用した電力制御のためにユーザ機器によって実行され得る例示的な動作を示す図。
【図８】本開示のいくつかの態様による、電力制御インデックスを使用した電力制御のためにアクセスポイントによって実行され得る例示的な動作を示す図。
【図９】本開示のいくつかの態様による、例示的なダウンリンク制御情報（ＤＣＩ）フォーマットの表を示す図。
【図１０】本開示のいくつかの態様による、無線ネットワーク一時識別子によってスクランブルされた例示的なダウンリンク制御情報メッセージを示す図。
【図１１】本開示のいくつかの態様による、識別子を使用した電力制御のためにユーザ機器によって実行され得る例示的な動作を示す図。
【図１２】本開示のいくつかの態様による、識別子を使用した電力制御のためにアクセスポイントによって実行され得る例示的な動作を示す図。
【図１３】本開示のいくつかの態様による、電力制御のためにユーザ機器によって実行され得る例示的な動作を示す図。
【図１４】本開示のいくつかの態様による、電力制御のためにアクセスポイントによって実行され得る例示的な動作を示す図。
【発明を実施するための形態】
【００３０】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることが認識されよう。
【００３１】
本願で使用する「コンポーネント」、「モジュール」、「システム」などの用語は、限定はしないが、ハードウェア、ファームウェア、ハードウェアとソフトウェアの組合せ、ソフトウェア、または実行中のソフトウェアなど、コンピュータ関連エンティティを含むことが意図されている。たとえば、コンポーネントは、プロセッサ上で動作するプロセス、プロセッサ、オブジェクト、実行ファイル、実行スレッド、プログラム、および／またはコンピュータであり得るが、これらに限定されない。例として、コンピューティングデバイス上で動作するアプリケーションと、該コンピューティングデバイスの両方が、コンポーネントであり得る。１つまたは複数のコンポーネントが、プロセスおよび／または実行スレッド内に存在することができ、１つのコンポーネントが、１つのコンピュータ上に配置される、および／または２つ以上のコンピュータ間に分散されることができる。さらに、これらのコンポーネントは、様々なデータ構造が記憶された様々なコンピュータ可読媒体から実行することができる。これらのコンポーネントは、ローカルシステム、分散型システム内、および／または他のシステムを用いるインターネットのようなネットワーク上の別のコンポーネントと信号を介して対話する、あるコンポーネントからのデータなど、１つまたは複数のデータパケットを有する信号によるなど、ローカルプロセスおよび／またはリモートプロセスを介して通信し得る。
【００３２】
さらに、本明細書では、ワイヤード端末またはワイヤレス端末であり得る端末に関連して様々な態様について説明する。端末は、また、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、様々な態様について、基地局に関して本明細書で説明する。基地局は、（１つまたは複数の）ワイヤレス端末と通信するために用いられることができ、アクセスポイント、ノードＢ、ｅノードＢ（ｅＮＢ）、または他の何らかの用語で呼ばれることもある。
【００３３】
さらに、「または」という用語は、排他的な「または」ではなく、包括的な「または」を意味するものとする。すなわち、特に指定しない限り、または文脈から明白でない限り、「ＸはＡまたはＢを使用する」という表現は、自然な包括的置換のいずれかを意味するものとする。すなわち、「ＸはＡまたはＢを使用する」という表現は、ＸがＡを使用する場合、ＸがＢを使用する場合、またはＸがＡとＢの両方を使用する場合のいずれによっても満たされる。さらに、本願および添付の特許請求の範囲で使用する冠詞「ａ」および「ａｎ」は、特に指定しない限り、または単数形を示すことが文脈から明白でない限り、一般的に「１つまたは複数」を意味するものと解釈すべきである。
【００３４】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに関して使用され得る。「ネットワーク」および「システム」という用語は、しばしば互換的に使用される。ＣＤＭＡネットワークは、汎用地上波無線アクセス（ＵＴＲＡ）、ＣＤＭＡ２０００などの無線技術を実装し得る。ＵＴＲＡは、広帯域ＣＤＭＡ（Ｗ−ＣＤＭＡ）および低チップレート（ＬＣＲ）を含む。ＣＤＭＡ２０００は、ＩＳ−２０００、ＩＳ−９５およびＩＳ−８５６規格をカバーする。ＴＤＭＡネットワークは、移動体通信用グローバルシステム（ＧＳＭ）（登録商標）などの無線技術を実装し得る。
【００３５】
ＯＦＤＭＡネットワークは、発展型（Evolved）ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサル・モバイル・テレコミュニケーション・システム（ＵＭＴＳ）の一部である。ロングタームエボリューション（ＬＴＥ）は、Ｅ−ＵＴＲＡを使用するＵＭＴＳの最近のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）という名称の団体からの文書に記載されている。ＣＤＭＡ２０００は、「第３世代パートナーシッププロジェクト２」（３ＧＰＰ２）という名称の団体からの文書に記載されている。これらの様々な無線技術および規格は当技術分野で知られている。明瞭にするために、以下では本技法のいくつかの態様についてＬＴＥに関して説明し、以下の説明の大部分でＬＴＥ用語を使用する。
【００３６】
シングルキャリア変調と周波数領域等化とを用いるシングルキャリア周波数分割多元接続（ＳＣ−ＦＤＭＡ）は、ＯＦＤＭＡシステムと同様のパフォーマンスおよび本質的に同じ全体的な複雑さを有する。ＳＣ−ＦＤＭＡ信号は、その特有のシングルキャリア構造ゆえに、より低いピーク対平均電力比（ＰＡＰＲ）を有する。ＳＣ−ＦＤＭＡは、特に、より低いＰＡＰＲが送信電力効率の点でモバイル端末に有益となるアップリンク通信において大きな注目を集めている。
【００３７】
図１を参照すると、本開示の一態様によるマルチキャリアワイヤレス通信システム１００が示されている。アクセスポイント１０２（ＡＰ）は、ユーザ機器（ＵＥ）１１６、１２２と通信するための複数のアンテナグループを含み、１つのアンテナグループは１０４および１０６を含み、別のアンテナグループは１０８および１１０を含み、さらにもう１つのアンテナグループは１１２および１１４を含む。アクセスポイント１０２は、固定局であることができ、基地局、ノードＢ、発展型ノードＢ（ｅＮＢ）または他の何らかの用語で呼ばれうる。
【００３８】
ＵＥ１１６、１２２は、ワイヤレス端末、または前述のような他のデバイスであり得る。図示のように、第１のユーザ機器（ＵＥ）１１６は、（「コンポーネントキャリア」または「ＣＣ」とも呼ばれる）複数のアップリンクキャリア１２０およびダウンリンクキャリア１１８を通じてアクセスポイント１０２と通信する。具体的には、ＵＥ１１６は、データ伝送を２つのダウンリンクキャリア１１８ａ、１１８ｂ上で受信し、２つのアップリンクキャリア１２０ａ、１２０ｂ上で送信する。第２のＵＥ１２２は、１つのダウンリンクキャリア１２４および２つのアップリンクキャリア１２６ａ、１２６ｂを用いて構成される。ワイヤレス通信システム１００は、追加のアクセスポイントおよびＵＥ（図示せず）を含むことができ、各ＵＥは、マルチキャリア動作のためのダウンリンクおよびアップリンクコンポーネントキャリアを用いて個別に構成され得る。そのような構成は、対称（アップリンクキャリアごとに１つのダウンリンクキャリア）または非対称であり得ることが認識されよう。
【００３９】
以下でより詳細に説明するように、アクセスポイント１０２は、ＵＥ１１６、１２２に、それらのそれぞれのコンポーネントキャリア上でのアップリンク伝送において用いられる電力を調整するための、送信電力制御（ＴＰＣ）コマンドを送ることができる。いくつかの態様では、アクセスポイント１０２は、ＴＰＣコマンドに対応するコンポーネントキャリアをＵＥに明示的または非明示的に通知する。たとえば、ＵＥによる使用のために割り当てられたアップリンクキャリアに対応する１つまたは複数のＴＰＣインデックスを該ＵＥに通知するために、より上位レイヤのシグナリングが用いられることができる。ＵＥはまた、ダウンリンク制御情報メッセージ中で各ＴＰＣコマンドに対応するキャリアのインジケーションを受信し得る。
【００４０】
図２は、マルチキャリアワイヤレス通信システム２００における例示的な基地局２１０およびアクセス端末２５０を示すブロック図２００である。基地局２１０は、アクセスポイント１０２のようなアクセスポイントであることができ、アクセス端末２５０は、ＵＥ１１６のようなユーザ機器であることができる。
【００４１】
送信機２１０において、複数のデータストリームに関するトラフィックデータがデータソース２１２から送信（ＴＸ）データプロセッサ２１４に与えられる。プロセッサ２３０は、ダウンリンク送信に含めるための、１つまたは複数のアップリンクキャリアに関係する送信電力制御（ＴＰＣ）コマンドを含む、制御情報を生成する。ＴＸデータプロセッサ２１４は、符号化されたデータを与えるために、各データストリームのトラフィックデータを、そのデータストリーム用に選択された特定の符号化方式に基づいてフォーマットし、符号化し、インターリーブする。データストリームに関する符号化されたデータおよび制御情報は、ＯＦＤＭ技法を使用してパイロットデータとともに多重化されることができる。
【００４２】
パイロットデータは、通常、既知の方法で処理される既知のデータパターンであり、チャネル応答を推定するために受信機システムにおいて使用され得る。多重化された、各データストリームの符号化データおよびパイロットデータは、次いで、変調シンボルを与えるために、そのデータストリーム用に選択された特定の変調方式（たとえば、２相位相変調（ＢＰＳＫ）、４相位相変調（ＱＰＳＫ）、Ｍ−ＰＳＫ（Ｍは一般に２のべき乗である）、またはＭ−ＱＡＭ（直交振幅変調））に基づいて変調（たとえば、シンボルマッピング）される。各データストリームに関するデータレート、符号化、および変調は、メモリ２３２に結合され得るプロセッサ２３０によって実行される命令によって決定され得る。
【００４３】
すべてのデータストリームに関する変調シンボルは、次いで、ＴＸ  ＭＩＭＯプロセッサ２２０に与えられ、ＴＸ  ＭＩＭＯプロセッサ２２０はさらに（たとえばＯＦＤＭ用に）変調シンボルを処理することができる。ＴＸ  ＭＩＭＯプロセッサ２２０は、次いで、ＮT個の変調シンボルストリームをＮT個の送信機（ＴＭＴＲ）２２２ａ〜２２２ｔに与える。いくつかの態様では、ＴＸ  ＭＩＭＯプロセッサ２２０は、データストリームのシンボルと、シンボルがそこから送信されるアンテナとに、ビームフォーミング重みを適用する。
【００４４】
送信機２２２は、ダウンリンクコンポーネントキャリアごとにシンボルストリームを受信し、処理して、１つまたは複数のアナログ信号を提供し、さらに、それらのアナログ信号を調整（たとえば、増幅、フィルタ処理、およびアップコンバート）して、ＭＩＭＯチャネルを通じた送信に適した変調信号を提供する。送信機２２２ａ〜２２２ｔからのＮT個の変調信号は、次いで、それぞれ、ＮT個のアンテナ２２４ａ〜２２４ｔから送信される。
【００４５】
アクセス端末２５０において、ダウンリンクコンポーネントキャリアについて送信された変調信号は、ＮR個のアンテナ２５２ａ〜２５２ｒによって受信され、各アンテナ２５２から受信された信号は、それぞれの受信機（ＲＣＶＲ）２５４ａ〜２５４ｒに与えられる。各受信機２５４は、それぞれの受信信号を調整（たとえば、フィルタ処理、増幅、およびダウンコンバート）し、調整された信号をデジタル化してサンプルを提供し、さらに、それらのサンプルを処理して、対応する「受信」シンボルストリームを提供する。
【００４６】
次いで、ＲＸデータプロセッサ２６０が、ＮR個の受信機２５４からＮR個の受信シンボルストリームを受信し、特定の受信機処理技法に基づいて処理して、ＮT個の「検出された」シンボルストリームを提供する。ＲＸデータプロセッサ２６０は、次いで、構成されたコンポーネントキャリアごとに、検出された各シンボルストリームを復調し、デインターリーブし、復号して、ＴＰＣコマンドを含む、トラフィックデータおよび制御情報を回復する。アップリンクコンポーネントキャリアの電力を調整するためのＴＰＣコマンドを送信する様々な技法について、図３〜図１４を参照しながらここにおいて説明する。
【００４７】
ＲＸデータプロセッサ２６０による処理は、送信機システム２１０においてＴＸ  ＭＩＭＯプロセッサ２２０およびＴＸデータプロセッサ２１４によって実行される処理に相補的なものであり得る。メモリ２７２に結合されたプロセッサ２７０は、どのプリコーディングマトリクス（以下で論じる）を使用すべきかを定期的に決定する。プロセッサ２７０は、マトリクスインデックス部分とランク値部分とを備えるアップリンクメッセージを作成する。
【００４８】
逆方向リンクメッセージは、通信リンクおよび／または受信データストリームに関する様々なタイプの情報を備え得る。逆方向リンクメッセージは、次いで、データソース２３６から複数のデータストリームに関するトラフィックデータも受信する、ＴＸデータプロセッサ２３８によって処理され、変調器２８０によって変調され、送信機２５４ａ〜２５４ｒによって調整される。ダウンリンク制御情報とともに受信されたＴＰＣコマンドに基づいて、プロセッサ２７０はまた、そのアップリンクコンポーネントキャリアのうちの１つまたは複数の送信電力を調整することができる。
【００４９】
送信機システム２１０において、受信機システム２５０からの電力調整されたアップリンクコンポーネントキャリアは、アンテナ２２４によって受信され、受信機２２２によって調整され、復調器２４０によって復調され、ＲＸデータプロセッサ２４２によって処理されて、受信機システム２５０によって送信された逆方向リンクメッセージを抽出する。プロセッサ２３０は、次いで、ビームフォーミング重みを決定するためにどのプリコーディングマトリクスを使用すべきかを決定し、抽出されたメッセージの処理を継続することができる。
【００５０】
マルチキャリアシステムにおけるコンポーネントキャリアは、異なる周波数帯域に位置することができ、異なるチャネル特性を経験することができる。異なる干渉シナリオの下では、異種ネットワーク展開における隣接した帯域幅でさえも、異なる動作ポイントを利用し、ＵＥ送信電力に異なる要件を課し得る。別々の周波数帯域における動作に適応するために、および干渉を管理するためのフレキシビリティを与えるために、ＵＬコンポーネントキャリアごとにアップリンク電力を調整することが望ましい。
【００５１】
本開示によれば、１つまたは複数のアップリンクキャリアは、マルチキャリア動作が可能なＵＥ（たとえば、発展しているＬＴＥ規格に準拠して動作するＵＥ）に割り当てられることができ、各ＵＬコンポーネントキャリアは、電力制御の目的のために個別に識別され得る。本開示のいくつかの特定の態様は、クロスキャリア動作を用いる、またはクロスキャリア動作を用いない、対称／非対称のＵＬ／ＤＬキャリア構成に適した、電力制御コマンドに関するマッピングルールを与える。
【００５２】
ロングタームエボリューション（ＬＴＥ）規格では、物理アップリンク共有チャネル（ＰＵＳＣＨ）のための電力制御コマンドは、アップリンク（ＵＬ）許可メッセージ中で搬送され、物理アップリンク制御チャネル（ＰＵＣＣＨ）のための電力制御コマンドは、ダウンリンク（ＤＬ）許可メッセージ中で搬送される。ＰＵＳＣＨおよびＰＵＣＣＨのためのグループ電力制御コマンドはまた、ダウンリンク制御情報（ＤＣＩ）フォーマット３／３Ａを使用して送信され得る。ＤＬキャリア上で送信されるＵＬ／ＤＬ許可は、ＤＬキャリアとペアリングされたＵＬキャリアに関係するＴＰＣコマンド、または場合によっては異なるＵＬキャリアに関係するＴＰＣコマンドを搬送し得る。
【００５３】
たとえば、クロスキャリア動作を用いた場合、ＵＬ許可メッセージは、ＵＬ許可中のキャリアインジケータフィールドによって示されたＵＬキャリアについてのＰＵＳＣＨ電力制御のためのＴＰＣコマンドを搬送し得る。同様に、ＰＵＣＣＨ電力制御では、ＤＬ許可は、ＤＬ許可中のキャリアインジケータフィールドによって示されたＵＬキャリアについてのＴＰＣコマンドを搬送し得る。ダウンリンク制御情報がキャリアインジケータを含まない場合、コンポーネントキャリアと他の制御情報との間のマッピングまたは関連付けが使用され得る。
【００５４】
ＮDL＞ＮULである（ＮULはアップリンクキャリアの数を表し、ＮDLはダウンリンクキャリアの数を表す）、非対称キャリア構成では、ＵＬ／ＤＬキャリアの単純なペアリングは可能でないことがある。したがって、単一のＤＬキャリアによって複数のＵＬキャリアについてのＴＰＣコマンドを送信する必要があり得る。一態様では、ＵＬキャリアの数がＤＬキャリアの数よりも大きい非対称構成については、ＴＰＣコマンド中で追加のビットが送信され得る。別の態様では、ＤＬ許可メッセージ中のＴＰＣコマンドは、ＰＵＣＣＨフィードバックが予想されるＵＬキャリアに対応し得る。さらに別の態様では、許可メッセージを搬送するＤＬキャリアに対応するすべてのＵＬキャリアに１つのＴＰＣが適用可能であり得る。
【００５５】
図３は、本開示のいくつかの態様による、マルチキャリアシステムにおける複数のアップリンクＣＣのための送信電力制御を与える例示的な通信システム３００を示す。図示のように、通信システム３００は、アクセスポイント３０２と１つまたは複数のユーザ機器３０４とを備えることができ、その各々は図１〜図２に関して説明したものであり得る。マルチキャリア動作では、アクセスポイント３０２は、ＵＥ３０４の各コンポーネントキャリアについて電力制御情報を生成し、ＴＰＣ情報をＵＥに送信し得る。
【００５６】
いくつかの態様によれば、アクセスポイント３０２は、ＴＰＣコマンドとコンポーネントキャリアとのマッピングに関する情報をＵＥ３０４に送ることができる。これらのマッピングにより、ＵＥ３０４は、受信されたＴＰＣがどの（１つまたは複数の）コンポーネントキャリアに適用されるかを決定できるようになり得る。一例として、アクセスポイント３０２は、各コンポーネントキャリアについてインデックスまたは識別子を送ることができ、それらから、ＵＥ３０４はコンポーネントキャリアと電力制御コマンドの各々との間のマッピングを識別することができる。ＵＥ３０４は、次いで、ＴＰＣコマンドを用いて、コンポーネントキャリアの各々の送信電力を調整することができる。有利には、現在説明している実施形態では、マッピングおよび識別子を用いることは、ダウンリンク制御情報のサイズを変更すること、または新しいＤＣＩフォーマットの使用を必要としない。
【００５７】
一態様では、グループ電力制御メッセージ中のＴＰＣコマンドを指し示すインデックスのセットが複数のＵＬコンポーネントキャリアにマッピング（または関連付け）され得る。アクセスポイント３０２は、グループ電力制御コマンドに対する１つまたは複数のｔｐｃインデックスと、ユーザ機器３０４によって使用されるように構成された１つまたは複数のＵＬコンポーネントキャリアとの間の関連付けを与える、ＴＰＣインデックスマッピングコンポーネント３０６を含み得る。
【００５８】
アクセスポイント３０２はまた、ＴＰＣインデックスマッピングコンポーネント３０６からのマッピングに基づいて１つまたは複数のＵＬキャリアの電力を調整するためのＴＰＣコマンドを生成する、ＴＰＣ生成コンポーネント３０８を含む。また、アクセスポイント３０２の一部として、マルチキャリアトランシーバコンポーネント３２０も含まれる。マルチキャリアトランシーバ３２０は、ＴＰＣコマンドを含む信号を１つまたは複数のＤＬキャリア上で送信し、ＴＰＣコマンドに従ってそれについて送信電力が調整されたＵＥ３０４からの信号を受信することができる。
【００５９】
図示のように、ＵＥ３０４は、アクセスポイント３０２に示されたコンポーネントに対して相補的な処理を実行するためのコンポーネントを含み得る。たとえば、ＵＥ３０４は、ＴＰＣインデックスマッピングコンポーネント３１６と、ＴＰＣ受信コンポーネント３１８と、マルチキャリアトランシーバコンポーネント３２０とを含み得る。ＴＰＣインデックスマッピングコンポーネント３１６は、アクセスポイント３０２からＵＥに割り当てられた１つまたは複数のｔｐｃインデックスと１つまたは複数のＵＬコンポーネントキャリアとの間の関連付けを維持する。ＴＰＣ受信コンポーネント３１８は、１つまたは複数のＴＰＣコマンドを備えるダウンリンク制御情報をアクセスポイント３０２から受信する。ＴＰＣインデックスマッピングコンポーネント３１６からのキャリア固有マッピングを使用して、ＴＰＣ受信コンポーネント３８１は、ダウンリンク送信から電力制御情報を取得し、１つまたは複数のＵＬコンポーネントキャリアの送信電力を調整する。マルチキャリアトランシーバコンポーネント３２０は、アップリンクコンポーネントキャリアの制御チャネルまたはデータチャネル上で、調整された送信電力で信号を送信する。
【００６０】
アクセスポイント３０２はまた、ＲＮＴＩマッピングコンポーネント３１４を含む。ＲＮＴＩマッピングコンポーネント３１４は、ＴＰＣコマンドをＵＬコンポーネントキャリアに関連付けるさらなる手段を与える。一態様では、ＲＮＴＩマッピングコンポーネント３１４は、ユーザ機器３０４によって使用されるように構成された１つまたは複数のコンポーネントキャリアと１つまたは複数の無線ネットワーク一時識別子（ＲＮＴＩ）との間の関連付けを維持する。マッピングまたは関連付けは、また、ＵＥのグループに拡張され得る。たとえば、ＲＮＴＩマッピングコンポーネント３１４は、単一のＲＮＴＩとＵＥグループのメンバーによって用いられる１つまたは複数のコンポーネントキャリアとの間の関連付けを維持することができる。
【００６１】
ＴＰＣ生成コンポーネント３０８は、ＴＰＣコマンドを準備するために、（１つまたは複数の）ＵＬコンポーネントキャリアにマッピングされたＲＮＴＩを使用することができる。たとえば、一態様では、ＴＰＣ生成コンポーネント３０８は、特定のＵＬコンポーネントキャリアをターゲットとする電力制御コマンドを、ユーザ機器３０４に送信されるダウンリンク制御情報（ＤＬ割当てまたはＵＬ許可など）に追加する。ＴＰＣ生成コンポーネント３０８は、ＤＣＩメッセージのために生成された巡回冗長情報を、（１つまたは複数の）ターゲットＵＬキャリアに関連付けられたＲＮＴＩを用いてスクランブルする。
【００６２】
ユーザ機器３０４は、相補的ＲＮＴＩマッピングコンポーネント３２４を含む。マルチキャリアＴＸ／ＲＸコンポーネント３２０においてダウンリンク信号が受信されるとき、ＵＥ３０４は、構成されたそのアップリンクコンポーネントキャリアに関連付けられたＲＮＴＩのうちの１つまたは複数を使用してダウンリンク制御情報を復号することを試行し得る。ダウンリンク制御メッセージの復号が成功した場合、ＴＰＣ受信コンポーネント３１８は、マッピングに基づいてＴＰＣコマンドを受信すべきＵＬキャリアを決定し、マルチキャリアトランシーバコンポーネント３２０においてその送信電力を調整する。
【００６３】
通信システム３００においてＴＰＣインデックスマッピングとＲＮＴＩマッピングとが組み合わせられ得ることが理解されよう。たとえば、ＲＮＴＩマッピングコンポーネント３２４は、複数のＲＮＴＩを用いて構成されることができ、各ＲＮＴＩは、ユーザ機器３０４が使用するためのＵＬコンポーネントキャリアのグルーピングを定義する。ＴＰＣインデックスマッピングコンポーネント３１６は、ＲＮＴＩによって定義されたキャリアのグループごとに複数のｔｐｃインデックスを維持することができる。たとえば、ＵＥ３０４は、ｔｐｃインデックス1およびｔｐｃインデックス2が第１および第２のＵＬコンポーネントキャリアに対応する、第１のＲＮＴＩ（たとえば、ＴＰＣ−ＰＵＳＣＨ−ＲＮＴＩ1）を用いて、また、ｔｐｃインデックス3が第３のキャリアに対応する、第２のＲＮＴＩ（たとえば、ＴＰＣ−ＰＵＳＣＨ−ＲＮＴＩ2）も用いて、構成され得る。
【００６４】
ＲＮＴＩマッピングとｔｐｃインデックスマッピングとの組合せは、複数のキャリアについてグループＴＰＣコマンドを搬送する際のフレキシビリティを提供する。それにより、異なるキャリアを異なる時間インスタンスにおいて更新して、異なる可能性のある電力制御ニーズに適応することが可能になる。すべてのキャリアを同時に更新することが望ましい場合、アクセスポイント３０２は、適切なｔｐｃインデックスをもつ単一のＴＰＣ−ＰＵＣＣＨ−ＲＮＴＩ／ＴＰＣ−ＰＵＳＣＨ−ＲＮＴＩのみを用いてユーザ機器を構成し得る。
【００６５】
図４および図５は、本開示のいくつかの態様による、マルチキャリア通信システムにおけるＵＬコンポーネントキャリアのための送信電力制御コマンドを備える例示的なダウンリンク制御情報メッセージを示す。例示的なダウンリンク制御情報メッセージ４００、５００は、通信システム３００に関して用いられることができる。
【００６６】
図４に示すように、メッセージ４００は、ＬＴＥ規格におけるＤＣＩフォーマットまたは他のフォーマットのいずれかを備え得る、ＤＬ／ＵＬスケジューリング情報フィールド４０２を含むことができる。メッセージは、また、送信電力制御フィールド４０４とキャリアインジケータフィールド４０６とを含むことができる。いくつかの態様では、キャリアインジケータフィールド４０６は、アクセスポイント３０２のＴＰＣ生成コンポーネント３０８によって追加されることができ、送信電力制御コマンド４０４がそれに適用されるべきであるキャリアを明示的に示すことができる。キャリアインジケータフィールド４０６は、ＴＰＣ受信コンポーネント３１８によって処理されることができ、示されたキャリア上の送信電力を調整するために使用されることができる。
【００６７】
図５に示すように、メッセージ５００は、ＤＬ／ＵＬスケジューリング情報フィールド５０２と送信電力制御フィールド５０４とを含むことができる。図４に示したメッセージとは異なり、メッセージ５００はキャリアインジケータフィールドを含まない。キャリアインジケータフィールド４０６の代わりに、クロスキャリア動作のためにＴＰＣコマンドのインデックスとそれらの対応するキャリアとを用いてＵＥを構成するため、およびＴＰＣ生成コンポーネント３０８とＴＰＣ受信コンポーネント３１８とのそれぞれの動作を指示するために、上位レイヤシグナリングが使用され得る。上位レイヤシグナリングは、無線リンク制御（ＲＬＣ）レイヤなど、プロトコルスタック中の上位レイヤによって送信される信号を指し得る。
【００６８】
上記で説明したように、いくつかの態様によれば、インデックスのセットが異なる複数のコンポーネントキャリアにマッピングされ、対応するＴＰＣコマンドを識別するために使用され得る。図６は、本開示のいくつかの態様による、送信電力インデックスとコンポーネントキャリアとの間の例示的なマッピング６００を示す。図示のように、コンポーネントキャリアｃ１はｔｐｃ＿ｉｎｄｅｘ１に関連付けられることができ、コンポーネントキャリアｃ３はｔｐｃ＿ｉｎｄｅｘ２に関連付けられることができ、以下同様である。一実施形態では、マッピング６００は、アクセスポイント３０２においてＴＰＣインデックスマッピングコンポーネント３０６によって決定されることができ、ＴＰＣインデックスマッピングコンポーネント３１６を構成するために上位レイヤシグナリングを通じてユーザ機器３０４に通信されることができる。
【００６９】
図７は、本開示のいくつかの態様による、ＴＰＣインデックスマッピングを使用した電力制御のためのユーザ機器によって実行され得る例示的な動作７００を示す。ユーザ機器は、図１〜図３のいずれかに関して説明したものであり得る。たとえば、例示的な動作７００は、１つまたは複数のプロセッサ（プロセッサ２７０など）によって、または（コンポーネント３１６〜３２４など）１つまたは複数のコンポーネントによって指示されることができる。
【００７０】
７０２において、ＵＥは、送信電力制御（ＴＰＣ）コマンドのグループを備える制御情報を受信する。一態様では、ＵＥは、物理ダウンリンク制御チャネル（ＰＤＣＣＨ）上でＤＣＩフォーマット３／３Ａメッセージを受信し得る。７０４において、ＵＥは、複数のＴＰＣインデックスに基づいて、グループから、対応する複数のコンポーネントキャリア上でのアップリンク送信の電力を調整するために使用すべき、１つまたは複数のＴＰＣコマンドを決定する。１つまたは複数のＴＰＣコマンドは、複数のＴＰＣインデックスによって示された、グループ電力制御コマンド中のロケーションにおいて検出され得る。７０６において、ＵＥは、決定されたＴＰＣコマンドに従って複数のコンポーネントキャリアの送信電力を調整する。いくつかの態様では、複数のコンポーネントキャリアの送信電力を調整することは、実質的に同時に実行され得る。
【００７１】
いくつかの態様では、ＵＥは、複数のＴＰＣインデックスの各々と複数のコンポーネントキャリアのうちの対応する１つとの間の関連付けを決定することができる。ＵＥは、無線リンク制御（ＲＬＣ）レイヤシグナリングを通じて関連付けのインジケーションを受信することができる。いくつかの態様では、ＴＰＣコマンドのうちの少なくとも１つが、１つまたは複数の対応するキャリアの送信電力が調整されないことがあること、またはそれに関する調整がゼロ値を備えることを示し得る。
【００７２】
いくつかの態様では、各ＴＰＣインデックスが、複数のコンポーネントキャリア中の対応するコンポーネントキャリアの制御チャネルまたはデータチャネルのうちの少なくとも１つに関連付けられ得る。したがって、ＵＥは、第１のＴＰＣインデックスによって決定された、ＴＰＣコマンドのグループ中のロケーションを有し得るＴＰＣコマンドに応答して、第１のコンポーネントキャリアのＰＵＣＣＨの送信電力を調整することができる。ＵＥはまた、第２のＴＰＣインデックスによって決定された、ＴＰＣコマンドのグループ中のロケーションを有し得るＴＰＣコマンドに応答して、第１のコンポーネントキャリアのＰＵＳＣＨの送信電力を調整することができる。
【００７３】
図８は、本開示のいくつかの態様による、電力制御インデックスを使用した電力制御のためにアクセスポイント（ＡＰ）によって実行され得る例示的な動作８００を示す。アクセスポイントは、図１〜図３のいずれかに関して説明したものであり得る。たとえば、例示的な動作８００は、１つまたは複数のプロセッサ（プロセッサ２３０など）によって、または１つまたは複数のコンポーネント（コンポーネント３０６〜３１４など）によって指示されることができる。
【００７４】
８０２において、ＡＰは、１つまたは複数の送信電力制御（ＴＰＣ）インデックスと複数のコンポーネントキャリアとの間の関連付けを決定し、各インデックスは、１つまたは複数のコンポーネントキャリアに関連付けられ得る。８０４において、ＡＰは、送信電力制御（ＴＰＣ）コマンドのグループを備える制御情報をユーザ機器（ＵＥ）に送信する。対応するコンポーネントキャリア上でのアップリンク送信の電力を調整するためにＵＥが使用する、グループ中の複数のＴＰＣコマンドのロケーションは、複数のＴＰＣインデックスに基づいて選択される。
【００７５】
上記で説明したように、いくつかの態様によれば、所定のＲＮＴＩによって巡回冗長検査（ＣＲＣ）がそれに関してスクランブルされたＤＣＩメッセージを使用することによって、ＴＣＰコマンドが１つまたは複数のコンポーネントキャリアにターゲッティングされ得る。所定のＲＮＴＩは、電力が調整されるべきである１つまたは複数のコンポーネントキャリアに関連付けられ得る。たとえば、図９に示すように、ＤＣＩフォーマット０、１についてのＣＲＣはＣｅｌｌ−ＲＮＴＩによってスクランブルされることができ、フォーマット３および３ＡについてのＣＲＣはシステム情報（ＳＩ）／ページング（Ｐ）／ランダムアクセス（ＲＡ）ＲＮＴＩによってスクランブルされることができる。
【００７６】
本開示の諸態様によれば、個々のコンポーネントキャリアまたはコンポーネントキャリアのグループにターゲッティングされたＴＰＣコマンドを搬送するために、追加のＲＮＴＩが使用されることができる。追加のＲＮＴＩはまた、ターゲッティングされたキャリアの制御チャネルまたはデータチャネルに関連付けられることができる。たとえば、コンポーネントキャリアの第１のグループに関する物理アップリンク共有チャネル送信電力をターゲッティングするために、１つまたは複数のＴＰＣ−ＰＵＳＣＨ−ＲＮＴＩが使用されることができ、コンポーネントキャリアの第１のグループの物理アップリンク制御チャネルとともに使用される送信電力をターゲッティングするために、１つまたは複数のＴＰＣ−ＰＵＣＣＨ−ＲＮＴＩが使用されることができる。図１０は、１つまたは複数のコンポーネントキャリアに関連付けられたＲＮＴＩを用いてＣＲＣがスクランブルされた、例示的なＤＣＩメッセージ１０００を示す。例示的なダウンリンク制御情報メッセージ４００、５００、１０００は、通信システム３００に関して用いられることができる。この例では、ＵＥは、ＣＲＣマッチの成功をもたらすＲＮＴＩに基づいて、どのコンポーネントキャリアがＤＣＩメッセージ１０００中のＴＰＣコマンドに対応するかを決定することができる。
【００７７】
図１１は、本開示のいくつかの態様による、識別子を使用した電力制御のためにユーザ機器によって実行され得る例示的な動作１１００を示す。ユーザ機器は、図１〜図３のいずれかに関して説明したものであり得る。たとえば、例示的な動作１１００は、１つまたは複数のプロセッサ（プロセッサ２７０など）によって、または１つまたは複数のコンポーネント（コンポーネント３１６〜３２４など）によって指示されることができる。
【００７８】
１１０２において、ＵＥは、１つまたは複数の無線ネットワーク一時識別子（ＲＮＴＩ）と複数のコンポーネントキャリアとの間の関連付けを決定し、ここで、各ＲＮＴＩは、１つまたは複数のコンポーネントキャリアに関連付けられる。１１０４において、ＵＥは、ＲＮＴＩのうちの１つを使用して、１つまたは複数の送信電力制御（ＴＰＣ）コマンドを備える制御情報を復号する。１１０６において、ＵＥは、１つまたは複数のＴＰＣコマンドに従って、復号において使用されるＲＮＴＩに関連付けられた１つまたは複数のコンポーネントキャリアの送信電力を調整する。いくつかの態様では、各ＲＮＴＩは、１つまたは複数のコンポーネントキャリアについての１つまたは複数のＴＰＣインデックスに関連付けられることができる。１つまたは複数のＴＰＣインデックスは、コンポーネントキャリアの各々に関連付けられたＴＰＣコマンドのロケーションを特定するために使用されることができる。
【００７９】
図１２は、本開示のいくつかの態様による、識別子を使用した電力制御のためにアクセスポイントによって実行され得る例示的な動作１２００を示す。アクセスポイントは、図１〜図３のいずれかに関して説明したものであり得る。たとえば、例示的な動作１２００は、１つまたは複数のプロセッサ（プロセッサ２３０など）によって、または１つまたは複数のコンポーネント（コンポーネント３０６〜３１４など）によって指示されることができる。
【００８０】
１２０２において、ＡＰは、１つまたは複数の無線ネットワーク一時識別子（ＲＮＴＩ）と複数のコンポーネントキャリアとの間の関連付けを決定し、ここで、各ＲＮＴＩは、１つまたは複数のコンポーネントキャリアに関連付けられる。１２０４において、ＡＰは、１つまたは複数の送信電力制御（ＴＰＣ）コマンドを備える制御情報をユーザ機器（ＵＥ）に送信し、ここで、制御情報は、ＴＰＣコマンドに従って電力が調整されるべきである対応する１つまたは複数のコンポーネントキャリアをＵＥに示すために選択されたＲＮＴＩを使用して送信される。選択されたＲＮＴＩは、ＰＵＣＣＨまたはＰＵＳＣＨチャネルに関係し得る。
【００８１】
追加の態様によれば、上記で説明したように、インデックスまたはＲＮＴＩ値へのコンポーネントキャリアのマッピングを用いるのではなく、どのＴＰＣコマンドがどのキャリアに対応するかを伝えるために他のメカニズムが用いられることができる。図１３は、上述した、電力制御情報を受信するための、ユーザ機器によって実行され得る例示的な動作１３００を示す。１３０２において、ＵＥは、１つまたは複数の送信電力制御（ＴＰＣ）コマンドを備えるダウンリンク制御情報（ＤＣＩ）メッセージを受信する。１３０４において、ＵＥは、対応する複数のコンポーネントキャリア上でのアップリンク送信の電力を調整するために使用すべき、ＤＣＩメッセージ中の１つまたは複数のＴＰＣコマンドを決定する。１３０６において、ＵＥは、決定されたＴＰＣコマンドに従って複数のコンポーネントキャリアの送信電力を調整する。
【００８２】
いくつかの態様では、ＤＣＩメッセージはＰＤＳＣＨに関するダウンリンク許可を含むことができ、ＴＰＣコマンドは、許可されたＰＤＳＣＨに関する制御フィードバックが予想されるアップリンクキャリアのＰＵＣＣＨに適用され得る。
【００８３】
図１４は、本開示のいくつかの態様による、上述した、電力制御情報を送信するための、アクセスポイントによって実行され得る例示的な動作１４００を示す。１４０２において、ＡＰは、ユーザ機器に割り当てられた対応する複数のコンポーネントキャリア上でのアップリンク送信の電力を調整するための１つまたは複数の送信電力制御（ＴＰＣ）コマンドを備える制御情報を決定する。１４０４において、ＡＰは、制御情報をダウンリンク制御情報（ＤＣＩ）メッセージ中でＵＥに送信する。
【００８４】
電力制御の式
マルチキャリア動作では、特定のキャリアｃ上でのサブフレームｉ内のＰＵＳＣＨ送信についての各ＵＥの送信電力は、次のように定義され得る。
【数１】
0005596161.tif 000002
【００８５】
上式で、ＰCMAXは、（ＳＩＢ中の）上位レイヤによって設定される最大許容電力を表し得るものであり、ＭPUSCH,c（ｉ）は、サブフレームｉに関する有効なリソースブロックの数で表される、ＰＵＳＣＨリソース割当ての帯域幅を表し得るものであり、ＰO_PUSCH,c（ｊ）は、上位レイヤによって与えられるセル固有コンポーネントとＵＥ固有コンポーネントとの合計から構成されるパラメータを表し得るものであり、αc（ｊ）は、上位レイヤによって与えられる３ビットのセル固有パラメータを表し得るものであり、ＰＬcは、ＵＥにおいて計算されるダウンリンク経路損失推定値をｄＢで表し得るものであり、ΔTF,c（ｉ）は、キャリアｃ上のトランスポートブロックサイズとリソース要素の数との関数を表し得るものであり、ｆc（ｉ）は、ＰＵＳＣＨ  ＴＰＣコマンドの関数であり得る現在のＰＵＳＣＨ電力制御調整状態を表し得るものである。
【００８６】
同様に、特定のキャリアｃ上のサブフレームｉ内のＰＵＣＣＨ送信のための電力制御の式は、次のように定義され得る。
【数２】
0005596161.tif 000003
【００８７】
上式で、ΔF_PUCCH（Ｆc）は、ＰＵＣＣＨフォーマット１ａに対して、ＰＵＣＣＨフォーマット（Ｆ）に対応する、上位レイヤによって与えられたパラメータを表し得るものであり、ｈ（ｎ）はＰＵＣＣＨフォーマット依存値を表し得るものであり、ｇc（ｉ）は、ＰＵＣＣＨ  ＴＰＣコマンドの関数であり得る現在のＰＵＣＣＨ電力制御調整状態を表し得るものである。式（１）および式（２）では、すべてのパラメータはキャリア固有である（たとえば、パラメータｃに依存する）。ただし、いくつかのシナリオでは、パラメータのいくつかはキャリア間で共通であり得る。
【００８８】
キャリアインジケーション
マルチキャリアワイヤレス通信システムでは、コンポーネントキャリアごとにＤＬ割当ておよびＵＬ割当ての別々のコーディングがあり得る。情報は、追加のキャリアインジケータフィールドをもつ単一のキャリア用に設計されたＤＣＩメッセージフォーマットによってユーザ機器へと搬送され得る。キャリアインジケーションは、割当てがどのキャリアを対象とするかを明示的に示すために使用され得る。キャリアインジケーションは、１つのキャリアのための割当てが別のキャリア上で送信される、クロスキャリア動作に使用され得る。さらに、キャリアインジケーションは、ＤＬキャリアの数とＵＬキャリアの数とが異なる（たとえば、１つのＤＬキャリアと複数のＵＬキャリア）、非対称ＤＬ／ＵＬ構成に使用され得る。
【００８９】
いくつかの態様は、マルチキャリアシステムにおいてキャリアインジケーションに用いられ得るビットの数および解釈を提案する。ＬＴＥ  Ｒｅｌ−８からのＤＣＩフォーマットは、１つまたは複数のビットを含み得るキャリアインジケータフィールドで増補され得る。
【００９０】
いくつかのシナリオでは、キャリアインジケータを送信する必要がないことがある。そのようなシナリオには、同種ネットワーク展開、対称ＤＬ／ＵＬキャリア構成をもつシステム、またはＵＬキャリアの数よりも多くの数のＤＬキャリアを用いるシステムを含めることができる。ダウンリンク割当てを搬送するＤＣＩメッセージ中に、割当てられたキャリアのインジケーションがない場合、ダウンリンクメッセージは、ＤＣＩが送信されるのと同じＤＬキャリア上で送信され得る。キャリアインジケータがないＤＣＩメッセージを通じたアップリンク割当ての場合、割当てを搬送するＤＬキャリアとユニークにペアリングされたＵＬキャリアがアップリンク送信のために使用され得る。
【００９１】
いくつかの態様では、異種ネットワーク展開に関して、非対称ＤＬ／ＵＬキャリア構成における割当てＤＣＩ中に追加のビットが含まれ得る（たとえば、１つのＤＬキャリアが複数のＵＬキャリアとペアリングされるとき）。異種マルチキャリアネットワークでは、クロスキャリア動作が、制御信号の信頼性を改善することができ、高度セル間干渉協調（ＩＣＩＣ：inter-cell interference coordination）メカニズムの実行を可能にし得る。
【００９２】
いくつかの態様では、キャリアインジケーションのために使用されるビットの数およびそれらの解釈は、キャリアインジケーションフィールド中のビットの数が、ＤＬチャネルおよびＵＬチャネルにおけるデータ送信に関する構成されたキャリアの数によって決まるように定義され得る。いくつかの態様では、キャリアインジケーションフィールド中のビット数およびそれらの解釈は、各ユーザ機器に固有であり得るものであり、物理ダウンリンク共有チャネル（ＰＤＳＣＨ）および物理アップリンク共有チャネル（ＰＵＳＣＨ）に関する構成されたキャリアのセットに基づいて決定され得る。
【００９３】
いくつかの態様では、ＵＥのキャリア構成は上位レイヤシグナリングによって実行され得る。キャリア構成は、構成されたキャリアごとに、ＵＬ／ＤＬ割当てにおいてキャリアを識別／マッピングするために使用され得る、ユニークなキャリア識別子を含み得る。キャリア識別子マッピングは、ＵＥ固有であり得るものであり、物理ダウンリンク制御チャネル（ＰＤＣＣＨ）がその上で送信されるキャリアに固有であり得る。
【００９４】
いくつかの態様では、キャリアインジケーションフィールド中のビットの数およびそれらの解釈は、セルのキャリア構成に基づくもの（たとえば、セル固有）であり得る。たとえば、ＵＥは、ＤＬ／ＵＬチャネル上でのデータ送信のために構成されたＤＬ／ＵＬキャリアの数に基づいて、ＤＬ／ＵＬ割当てにおけるキャリアインジケーションについて何ビットを予想すべきかを非明示的に結論付けることができる。いくつかの態様では、セルは、上位レイヤシグナリングによってキャリアインジケーションフィールドに関する情報をＵＥに明示的にシグナリングすることができる。
【００９５】
いくつかの態様では、上位レイヤシグナリングを使用して、ＤＬ／ＵＬ割当てにおけるゼロまたは非ゼロキャリアインジケーションフィールドを予想するようにＵＥ（たとえば、ＬＴＥ−Ａに準拠するＵＥ）を構成することができる。キャリアインジケーションフィールド中のビットの数およびそれらの解釈は、上位レイヤによってＵＥにシグナリングされ得る。たとえば、スケジューラが、クロスキャリア動作を予想すべきか否かをＵＥにシグナリングすることができる（たとえば、クロスキャリア動作が可能にされた場合はキャリアインジケーションについて３ビット、他の場合はゼロビット）。したがって、上位レイヤシグナリングは、キャリアインジケーションについてゼロビットではクロスキャリア動作を用いない、またはキャリアインジケーションについて固定数のビットではクロスキャリア動作を用いるなど、ＵＥの動作モードを決定するために使用され得る。
【００９６】
場合によっては、キャリアインジケーションに使用されるビット数の最適化は、重要ではないことがある。いくつかの態様では、ＵＥは、割当てにおいてキャリアインジケーションのために固定数の（たとえば、３）ビットをとるべきか否かを上位レイヤシグナリングによって通知されることができる。これは、ＵＬとＤＬの両方の割当てについて指定されるべきである。動作モード（たとえば、クロスキャリア動作を用いるまたは用いない）は、上述のように、展開シナリオによって決まり得る。
【００９７】
クロスキャリア動作を示すための設定可能な数のビットは、非常に小さいオーバーヘッド減少（たとえば、せいぜい３ビット対１ビット）を生じ得るが、それは、キャリアインジケーションに固定数のビットが割り当てられる方式に比べて複雑さを増すことになることに留意されたい。したがって、キャリアインジケーションについて固定数のビットでクロスキャリア動作が実行されるか否かについてシグナリングすることが好適であり得る。
【００９８】
キャリアインジケータビットの意味についてのスケジューラとＵＥとの間の共通の理解を容易にするために、キャリア構成（たとえば、キャリアインジケーションメッセージ）は、キャリアを識別するためにＵＥによって使用されることのできる、キャリアごとにユニークな識別子を含み得る。いくつかの態様では、３ビットインジケータで８つよりも多くのキャリアをアドレスするために、キャリアインデキシングは、割当て（ＰＤＣＣＨ）がその上で送信されるキャリアに固有であり得る。たとえば、１０個のキャリアがある場合、ＵＥは、１つのキャリア割当てにおける最初の５つのキャリアと、第２のキャリア割当てにおける他の５つのキャリアとに、いずれの場合も０〜５のインデキシングを使用して、アドレスすることができる。異なるキャリア割当てを使用することは、また、構成されたすべてのキャリア間のクロスキャリアアドレシングを制限し得る。それはまた、たとえば、キャリアの異なるセットについてキャリア帯域幅が異なる場合、ブラインド復号試行の数を低減し得る。
【００９９】
いくつかの態様では、キャリアインジケータは、ＵＥ固有のＵＬ割当てまたはＤＬ割当てを搬送できるＤＣＩフォーマットのすべてに適用可能であり得る。ＤＣＩフォーマット０、１、１Ａ、１Ｂ、１Ｄ、２、および２Ａは、セル無線ネットワーク一時識別子（Ｃ−ＲＮＴＩ）スクランブルを用いたＵＥ固有の割当てのために使用され得る。これらのフォーマットは、クロスキャリア動作についてキャリアインジケータフィールドで増補され得る。
【０１００】
ＬＴＥ規格のＲｅｌ−８におけるＤＣＩフォーマット１Ｃ、３、および３Ａは、ＵＥ固有の目的には使用されず、共通の探索空間中に位置し得る。同じ共通の情報を指し得るＲｅｌ−８  ＵＥとの後方互換性および共存を提供するために、ＤＣＩフォーマット１Ｃ、３、および３Ａはキャリアインジケータフィールドを含まないことがあり得る。
【０１０１】
ＤＣＩフォーマット１Ａおよび０は、ＵＥ固有の目的および共通の目的の両方のために使用され得る。たとえば、クロスキャリア動作が可能にされた場合、ＵＥは、フォーマット１Ａにおけるキャリアインジケータを予想し得る。同時に、フォーマット１Ａは、共通の目的で使用されることができ、したがってＲｅｌ−８に準拠し得る。したがって、ＤＣＩフォーマット１Ａおよび０は、キャリアインジケータフィールドを有しないことがあり得る。この問題は、共通の探索空間にのみ当てはまる。
【０１０２】
いくつかの態様では、共通の探索空間におけるＤＣＩフォーマット０および１Ａの使用は、キャリアインジケータなしでのみ許される。この制限は、ＤＣＩフォーマット０／１Ａの使用に関していくつかの制約を課し得る。たとえば、Ｃ−ＲＮＴＩスクランブルされた巡回冗長検査（ＣＲＣ）をもつＤＣＩフォーマット０および１Ａは、クロスキャリア動作をサポートしないことがある。
【０１０３】
いくつかの態様では、ＤＣＩフォーマット０および１Ａは、共通の探索空間においてキャリアインジケータありまたはなしで使用され得る。たとえば、表１に示すように、それぞれ、キャリアインジケータがあるＤＣＩフォーマット０／１Ａは、Ｃ−ＲＮＴＩによってスクランブルされたＣＲＣを排他的に有し、一方、キャリアインジケータがないＤＣＩフォーマット０および１Ａは、一時Ｃ−ＲＮＴＩおよびシステム情報（ＳＩ）／ページング（Ｐ）／ランダムアクセス（ＲＡ）ＲＮＴＩによってスクランブルされたＣＲＣを排他的に有する。
【０１０４】
したがって、ＵＥは、共通の探索空間においてキャリアインジケータフィールドありおよびなしでＤＣＩフォーマット０および１Ａの両方を復号しようとし得る。しかし、Ｃ−ＲＮＴＩによるＣＲＣスクランブルは、キャリアインジケータありのＤＣＩフォーマット１Ａについてのみ考えられる。一方、ＳＩ／Ｐ／ＲＡ−ＲＮＴＩによるＣＲＣスクランブルは、キャリアインジケータなしのＤＣＩフォーマット１Ａについてのみ考えられる。したがって、この手法は、ＵＥ固有および共通の探索空間においてクロスキャリアインジケータがあるＵＥ固有のＤＣＩフォーマットを使用することの完全フレキシビリティを提供し、その際、フォールスアラーム確率は同じであり、ブラインド復号の数はわずかに増加する。
【０１０５】
図１３は、本開示のいくつかの態様による、ＬＴＥ規格のリリース８におけるダウンリンク制御情報（ＤＣＩ）フォーマットへのキャリアインジケータの適用性を示す例示的な表１３００を示す。図示のように、ＤＣＩフォーマット０、１、１Ａ、１Ｂ、１Ｄ、２、および２Ａは、クロスキャリア動作が可能にされるとき、およびＵＥ固有の目的で使用されるとき（たとえば、ＣＲＣがＣ−ＲＮＴＩによってスクランブルされる）、キャリアインジケータフィールドを含み得る。ＤＣＩフォーマット０および１Ａは、共通の目的で使用されるとき（たとえば、ＣＲＣが、それぞれ一時Ｃ−ＲＮＴＩおよびＳＩ／Ｐ／ＲＡ−ＲＮＴＩによってスクランブルされる）、キャリアインジケータフィールドを含まないことがあり得る。ＤＣＩフォーマット１Ｃ、３、および３Ａは、キャリアインジケータフィールドを含まないことがあり得る。動作モード（たとえば、クロスキャリア動作ありまたはなし）は、オペレータ選定であることが可能であり、展開シナリオによって決まり得る。
【０１０６】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理、ディスクリートハードウェアコンポーネント、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサは、また、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０７】
本開示に関連して説明した方法またはアルゴリズムの諸ステップは、直接ハードウェアにおいて、プロセッサによって実行されるソフトウェアモジュールにおいて、または２つの組合せにおいて実施され得る。ソフトウェアモジュールは、当技術分野で知られている任意の形式の記憶媒体中に存在し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどが含まれる。ソフトウェアモジュールは、単一の命令、または多数の命令を備えることができ、いくつかの異なるコードセグメントにわたって、異なるプログラム間で、および複数の記憶媒体をまたいで分散されることができる。記憶媒体は、プロセッサがその記憶媒体から情報を読み取り、その記憶媒体に情報を書き込むことができるように、プロセッサに結合され得る。代替として、記憶媒体はプロセッサに一体化され得る。
【０１０８】
本明細書で開示した方法は、説明した方法を達成するための１つまたは複数のステップまたはアクションを備える。方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１０９】
説明した機能は、ハードウェア、ソフトウェア、ファームウェア、またはそれらの任意の組合せで実装され得る。ソフトウェアで実装した場合、機能は、コンピュータ可読媒体上に１つまたは複数の命令として記憶され得る。記憶媒体は、コンピュータによってアクセスされることのできる任意の利用可能な媒体であり得る。限定ではなく一例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で所望のプログラムコードを搬送または記憶するために使用されることができ、コンピュータによってアクセスされることができる、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。
【０１１０】
たとえば、そのようなデバイスは、本明細書で説明した方法を実行するための手段の移動を容易にするためにサーバに結合されることができる。代替的に、本明細書で説明される様々な方法は、ストレージ手段（たとえば、ＲＡＭ、ＲＯＭ、コンパクトディスク（ＣＤ）またはフロッピーディスクのような物理記憶媒体など）によって提供されることができ、したがって、ユーザ端末および／または基地局は、ストレージ手段をデバイスへと結合または提供すれば様々な方法を得ることができる。さらに、本明細書で説明した方法および技法をデバイスに提供するための任意の他の適切な技法が使用されることができる。
【０１１１】
特許請求の範囲は、上記に示した精確な構成およびコンポーネントに限定されないことを理解されたい。特許請求の範囲から逸脱することなく、上記で説明した方法および装置の構成、動作および詳細に、様々な修正、変更および変形を行うことができる。
【０１１２】
上記は本開示の諸態様を対象とするが、本開示のさらなる他の態様は、その基本的範囲から逸脱することなく考案されることができ、その範囲は特許請求の範囲によって決定される。
以下に、本願の出願当初請求項に記載された発明を付記する。
［Ｃ１］
ユーザ機器（ＵＥ）において、送信電力制御（ＴＰＣ）コマンドのグループを備える制御情報を受信することと、
複数のＴＰＣインデックスに基づいて、前記グループから、対応する複数のコンポーネントキャリア上でのアップリンク送信の電力を調整するために使用すべき、１つまたは複数のＴＰＣコマンドを決定することと、
前記決定されたＴＰＣコマンドに従って前記複数のコンポーネントキャリアのうちの１つまたは複数の送信電力を調整することと
を備える、ワイヤレス通信のための方法。
［Ｃ２］
前記複数のＴＰＣインデックスの各々と前記複数のコンポーネントキャリアのうちの対応する１つとの間の関連付けを決定すること
をさらに備える、上記［Ｃ１］に記載の方法。
［Ｃ３］
無線リンク制御（ＲＬＣ）レイヤシグナリングを通じて前記関連付けのインジケーションを受信することをさらに備える、上記［Ｃ２］に記載の方法。
［Ｃ４］
前記複数のＴＰＣインデックスのうちの少なくとも１つと前記複数のコンポーネントキャリア中の２つ以上のコンポーネントキャリアとの間の関連付けを決定すること
をさらに備える、上記［Ｃ１］に記載の方法。
［Ｃ５］
前記送信電力を調整することが、ＴＰＣコマンドの前記グループからの単一のＴＰＣコマンドに基づいて前記２つ以上のコンポーネントキャリアの送信電力を調整することを備える、上記［Ｃ４］に記載の方法。
［Ｃ６］
各ＴＰＣインデックスが、前記複数のコンポーネントキャリア中の対応するコンポーネントキャリアの制御チャネルまたはデータチャネルのうちの少なくとも１つに関連付けられる、上記［Ｃ１］に記載の方法。
［Ｃ７］
前記送信電力を調整することが、
第１のＴＰＣインデックスによって決定された、ＴＰＣコマンドの前記グループ中のロケーションを有するＴＰＣコマンドに応答して、第１のコンポーネントキャリアの物理アップリンク制御チャネル（ＰＵＣＣＨ）の送信電力を調整することと、
第２のＴＰＣインデックスによって決定された、ＴＰＣコマンドの前記グループ中のロケーションを有するＴＰＣコマンドに応答して、前記第１のコンポーネントキャリアの物理アップリンク共有チャネル（ＰＵＳＣＨ）の送信電力を調整することと
をさらに備える、上記［Ｃ６］に記載の方法。
［Ｃ８］
前記複数のコンポーネントキャリアの送信電力が実質的に同時に調整される、上記［Ｃ１］に記載の方法。
［Ｃ９］
前記ＴＰＣコマンドのうちの少なくとも１つは、１つまたは複数の対応するキャリアの送信電力が調整されるべきでないことを示す、上記［Ｃ１］に記載の方法。
［Ｃ１０］
１つまたは複数の送信電力制御（ＴＰＣ）インデックスと複数のコンポーネントキャリアとの間の関連付けを決定することであって、各インデックスが少なくとも１つのコンポーネントキャリアに関連付けられる、決定することと、
送信電力制御（ＴＰＣ）コマンドのグループを備える制御情報をユーザ機器（ＵＥ）に送信することであって、対応するコンポーネントキャリア上でのアップリンク送信の電力を調整するために前記ＵＥが使用する、前記グループ中の複数のＴＰＣコマンドのロケーションが、前記複数のＴＰＣインデックスに基づいて選択される、送信することと
を備える、ワイヤレス通信のための方法。
［Ｃ１１］
無線リンク制御（ＲＬＣ）レイヤシグナリングを通じて前記複数のＴＰＣインデックスと前記１つまたは複数のコンポーネントキャリアとの間の関連付けのインジケーションを送信することをさらに備える、上記［Ｃ１０］に記載の方法。
［Ｃ１２］
前記送信することが、単一のコンポーネントキャリアについて複数のＴＰＣインデックスのインジケーションを送信することを備える、上記［Ｃ１１］に記載の方法。
［Ｃ１３］
前記送信することが、第１のＴＰＣインデックスとコンポーネントキャリアの第１のグループとの間の関連付け、および第２のＴＰＣインデックスとコンポーネントキャリアの第２のグループとの間の関連付けのインジケーションを送信することを備える、上記［Ｃ１０］に記載の方法。
［Ｃ１４］
前記送信することが、
第１の時間において、コンポーネントキャリアの前記第１のグループについてアップリンク送信の電力を調整するために前記ＵＥが使用する、前記第１のＴＰＣインデックスにおけるＴＰＣコマンドを有する制御情報を送信することと、
第２の時間において、コンポーネントキャリアの前記第２のグループについてアップリンク送信の電力を調整するために前記ＵＥが使用する、前記第２のＴＰＣインデックスにおけるＴＰＣコマンドを有する制御情報を送信することと
をさらに備える、上記［Ｃ１３］に記載の方法。
［Ｃ１５］
前記コンポーネントキャリアのうちの少なくとも１つが、コンポーネントキャリアの前記第１のグループおよびコンポーネントキャリアの前記第２のグループの両方に含まれる、上記［Ｃ１３］に記載の方法。
［Ｃ１６］
ユーザ機器（ＵＥ）において、１つまたは複数の無線ネットワーク一時識別子（ＲＮＴＩ）と複数のコンポーネントキャリアとの間の関連付けを決定することであって、各ＲＮＴＩが１つまたは複数のコンポーネントキャリアに関連付けられる、決定することと、
前記ＲＮＴＩのうちの１つを使用して、１つまたは複数の送信電力制御（ＴＰＣ）コマンドを備える制御情報を復号することと、
前記１つまたは複数のＴＰＣコマンドに従って、前記復号において使用される前記ＲＮＴＩに関連付けられた前記１つまたは複数のコンポーネントキャリアの送信電力を調整することと
を備える、ワイヤレス通信のための方法。
［Ｃ１７］
無線リンク制御（ＲＬＣ）レイヤシグナリングを通じて前記１つまたは複数のＲＮＴＩと前記１つまたは複数のコンポーネントキャリアとの間の前記関連付けのインジケーションを受信することをさらに備える、上記［Ｃ１６］に記載の方法。
［Ｃ１８］
前記ＲＮＴＩが、物理アップリンク制御チャネル（ＰＵＣＣＨ）ＲＮＴＩおよび物理アップリンク共有チャネル（ＰＵＳＣＨ）ＲＮＴＩのうちの少なくとも１つを備える、上記［Ｃ１６］に記載の方法。
［Ｃ１９］
各ＲＮＴＩが、前記１つまたは複数のコンポーネントキャリアについての１つまたは複数のＴＰＣインデックスに関連付けられ、前記１つまたは複数のＴＰＣインデックスが、前記コンポーネントキャリアの各々に関連付けられたＴＰＣコマンドのロケーションを特定するために使用される、上記［Ｃ１６］に記載の方法。
［Ｃ２０］
物理アップリンク共有チャネル（ＰＵＳＣＨ）に関する前記制御情報が、アップリンク許可に対応するダウンリンク制御情報（ＤＣＩ）メッセージ中で搬送される、上記［Ｃ１６］に記載の方法。
［Ｃ２１］
物理アップリンク制御チャネル（ＰＵＣＣＨ）に関する前記制御情報が、ダウンリンク許可に対応するダウンリンク制御情報メッセージ中で搬送される、上記［Ｃ１６］に記載の方法。
［Ｃ２２］
１つまたは複数の無線ネットワーク一時識別子（ＲＮＴＩ）と複数のコンポーネントキャリアとの間の関連付けを決定することであって、各ＲＮＴＩが１つまたは複数のコンポーネントキャリアに関連付けられる、決定することと、
１つまたは複数の送信電力制御（ＴＰＣ）コマンドを備える制御情報をユーザ機器（ＵＥ）に送信することであって、前記制御情報は、前記ＴＰＣコマンドに従って電力が調整されるべきである対応する１つまたは複数のコンポーネントキャリアを前記ＵＥに示すために選択されたＲＮＴＩを使用して送信される、送信することと
を備える、ワイヤレス通信のための方法。
［Ｃ２３］
無線リンク制御（ＲＬＣ）レイヤシグナリングを通じて前記１つまたは複数のＲＮＴＩと前記複数のコンポーネントキャリアとの間の前記関連付けのインジケーションを送信することをさらに備える、上記［Ｃ２２］に記載の方法。
［Ｃ２４］
前記選択されたＲＮＴＩが物理アップリンク制御チャネル（ＰＵＣＣＨ）または物理アップリンク共有チャネル（ＰＵＳＣＨ）のうちの少なくとも１つに関係する、上記［Ｃ２２］に記載の方法。
［Ｃ２５］
各ＲＮＴＩが、前記１つまたは複数のコンポーネントキャリアについての１つまたは複数のＴＰＣインデックスに関連付けられ、前記１つまたは複数のＴＰＣインデックスが、前記コンポーネントキャリアの各々に関連付けられたＴＰＣコマンドのロケーションを特定するために使用される、上記［Ｃ２２］に記載の方法。
［Ｃ２６］
物理アップリンク共有チャネル（ＰＵＳＣＨ）に関する前記制御情報が、アップリンク許可に対応するダウンリンク制御情報（ＤＣＩ）メッセージ中で搬送される、上記［Ｃ２２］に記載の方法。
［Ｃ２７］
物理アップリンク制御チャネル（ＰＵＣＣＨ）に関する前記制御情報が、ダウンリンク許可に対応するダウンリンク制御情報メッセージ中で搬送される、上記［Ｃ２２］に記載の方法。
［Ｃ２８］
ユーザ機器（ＵＥ）において、１つまたは複数の送信電力制御（ＴＰＣ）コマンドを備えるダウンリンク制御情報（ＤＣＩ）メッセージを受信することと、
対応する複数のコンポーネントキャリア上でのアップリンク送信の電力を調整するために使用すべき、前記ＤＣＩメッセージ中の１つまたは複数のＴＰＣコマンドを決定することと、
前記決定されたＴＰＣコマンドに従って前記複数のコンポーネントキャリアの送信電力を調整することと
を備える、ワイヤレス通信のための方法。
［Ｃ２９］
前記ＤＣＩメッセージは、異なるコンポーネントキャリアの電力を調整するために各々が使用される、複数のＴＰＣコマンドを備える、上記［Ｃ２８］に記載の方法。
［Ｃ３０］
前記ＤＣＩメッセージが、物理ダウンリンク共有チャネル（ＰＤＳＣＨ）に関するダウンリンク許可を備え、
前記許可されたＰＤＳＣＨに関する制御フィードバックが予想されるアップリンクキャリアの物理アップリンク制御チャネル（ＰＵＣＣＨ）にＴＰＣコマンドが適用される、上記［Ｃ２８］に記載の方法。
［Ｃ３１］
前記ＤＣＩメッセージが、アップリンク許可を備え、
前記許可が対象とするキャリアの物理アップリンク共有チャネル（ＰＵＳＣＨ）に、ＴＰＣコマンドが適用される、
上記［Ｃ２８］に記載の方法。
［Ｃ３２］
前記複数のコンポーネントキャリアの送信電力を調整するために、単一のＴＰＣコマンドが適用される、上記［Ｃ２８］に記載の方法。
［Ｃ３３］
ユーザ機器に割り当てられた対応する複数のコンポーネントキャリア上でのアップリンク送信の電力を調整するための１つまたは複数の送信電力制御（ＴＰＣ）コマンドを備える制御情報を決定することと、
前記制御情報をダウンリンク制御情報（ＤＣＩ）メッセージ中で前記ＵＥに送信することと
を備える、ワイヤレス通信のための方法。
［Ｃ３４］
前記ＤＣＩメッセージは、異なるコンポーネントキャリアの電力を調整するために各々が使用される、複数のＴＰＣコマンドを備える、上記［Ｃ３３］に記載の方法。
［Ｃ３５］
前記１つまたは複数のＴＰＣコマンドが、複数のコンポーネントキャリアに適用されるべき単一のＴＰＣコマンドを備える、上記［Ｃ３３］に記載の方法。
［Ｃ３６］
ユーザ機器（ＵＥ）において、送信電力制御（ＴＰＣ）コマンドのグループを備える制御情報を受信するための手段と、
複数のＴＰＣインデックスに基づいて、前記グループから、対応する複数のコンポーネントキャリア上でのアップリンク送信の電力を調整するために使用すべき、１つまたは複数のＴＰＣコマンドを決定するための手段と、
前記決定されたＴＰＣコマンドに従って前記複数のコンポーネントキャリアのうちの１つまたは複数の送信電力を調整するための手段と
を備える、ワイヤレス通信のための装置。
［Ｃ３７］
前記複数のＴＰＣインデックスの各々と前記複数のコンポーネントキャリアのうちの対応する１つとの間の関連付けを決定するための手段
をさらに備える、上記［Ｃ３６］に記載の装置。
［Ｃ３８］
無線リンク制御（ＲＬＣ）レイヤシグナリングを通じて前記関連付けのインジケーションを受信するための手段をさらに備える、上記［Ｃ３７］に記載の装置。
［Ｃ３９］
前記複数のＴＰＣインデックスのうちの少なくとも１つと前記複数のコンポーネントキャリア中の２つ以上のコンポーネントキャリアとの間の関連付けを決定するための手段をさらに備える、上記［Ｃ３６］に記載の装置。
［Ｃ４０］
送信電力を調整するための前記手段が、ＴＰＣコマンドの前記グループからの単一のＴＰＣコマンドに基づいて前記２つ以上のコンポーネントキャリアの送信電力を調整するための手段を備える、上記［Ｃ３９］に記載の装置。
［Ｃ４１］
各ＴＰＣインデックスが、前記複数のコンポーネントキャリア中の対応するコンポーネントキャリアの制御チャネルまたはデータチャネルのうちの少なくとも１つに関連付けられる、上記［Ｃ３６］に記載の装置。
［Ｃ４２］
送信電力を調整するための前記手段が、
第１のＴＰＣインデックスによって決定された、ＴＰＣコマンドの前記グループ中のロケーションを有するＴＰＣコマンドに応答して、第１のコンポーネントキャリアの物理アップリンク制御チャネル（ＰＵＣＣＨ）の送信電力を調整するための手段と、
第２のＴＰＣインデックスによって決定された、ＴＰＣコマンドの前記グループ中のロケーションを有するＴＰＣコマンドに応答して、前記第１のコンポーネントキャリアの物理アップリンク共有チャネル（ＰＵＳＣＨ）の送信電力を調整するための手段と
をさらに備える、上記［Ｃ４１］に記載の装置。
［Ｃ４３］
前記複数のコンポーネントキャリアの送信電力が実質的に同時に調整される、上記［Ｃ３６］に記載の装置。
［Ｃ４４］
前記ＴＰＣコマンドのうちの少なくとも１つは、１つまたは複数の対応するキャリアの送信電力が調整されるべきでないことを示す、上記［Ｃ３６］に記載の装置。
［Ｃ４５］
１つまたは複数の送信電力制御（ＴＰＣ）インデックスと複数のコンポーネントキャリアとの間の関連付けを決定するための手段であって、各インデックスが少なくとも１つのコンポーネントキャリアに関連付けられる、決定するための手段と、
送信電力制御（ＴＰＣ）コマンドのグループを備える制御情報をユーザ機器（ＵＥ）に送信するための手段であって、対応するコンポーネントキャリア上でのアップリンク送信の電力を調整するために前記ＵＥが使用する、前記グループ中の複数のＴＰＣコマンドのロケーションが、前記複数のＴＰＣインデックスに基づいて選択される、送信するための手段と
を備える、ワイヤレス通信のための装置。
［Ｃ４６］
無線リンク制御（ＲＬＣ）レイヤシグナリングを通じて前記複数のＴＰＣインデックスと前記１つまたは複数のコンポーネントキャリアとの間の関連付けのインジケーションを送信するための手段をさらに備える、上記［Ｃ４５］に記載の装置。
［Ｃ４７］
送信するための前記手段が、単一のコンポーネントキャリアについて複数のＴＰＣインデックスのインジケーションを送信するための手段を備える、上記［Ｃ４６］に記載の装置。
［Ｃ４８］
送信するための前記手段が、第１のＴＰＣインデックスとコンポーネントキャリアの第１のグループとの間の関連付け、および第２のＴＰＣインデックスとコンポーネントキャリアの第２のグループとの間の関連付けのインジケーションを送信するための手段を備える、上記［Ｃ４５］に記載の装置。
［Ｃ４９］
送信するための前記手段が、
第１の時間において、コンポーネントキャリアの前記第１のグループについてアップリンク送信の電力を調整するために前記ＵＥが使用する、前記第１のＴＰＣインデックスにおけるＴＰＣコマンドを有する制御情報を送信するための手段と、
第２の時間において、コンポーネントキャリアの前記第２のグループについてアップリンク送信の電力を調整するために前記ＵＥが使用する、前記第２のＴＰＣインデックスにおけるＴＰＣコマンドを有する制御情報を送信するための手段と
をさらに備える、上記［Ｃ４８］に記載の装置。
［Ｃ５０］
前記コンポーネントキャリアのうちの少なくとも１つが、コンポーネントキャリアの前記第１のグループおよびコンポーネントキャリアの前記第２のグループの両方に含まれる、上記［Ｃ４８］に記載の装置。
［Ｃ５１］
ユーザ機器（ＵＥ）において、１つまたは複数の無線ネットワーク一時識別子（ＲＮＴＩ）と複数のコンポーネントキャリアとの間の関連付けを決定するための手段であって、各ＲＮＴＩが１つまたは複数のコンポーネントキャリアに関連付けられる、決定するための手段と、
前記ＲＮＴＩのうちの１つを使用して、１つまたは複数の送信電力制御（ＴＰＣ）コマンドを備える制御情報を復号するための手段と、
前記１つまたは複数のＴＰＣコマンドに従って、前記復号において使用される前記ＲＮＴＩに関連付けられた前記１つまたは複数のコンポーネントキャリアの送信電力を調整するための手段と
を備える、ワイヤレス通信のための装置。
［Ｃ５２］
無線リンク制御（ＲＬＣ）レイヤシグナリングを通じて前記１つまたは複数のＲＮＴＩと前記１つまたは複数のコンポーネントキャリアとの間の前記関連付けのインジケーションを受信するための手段をさらに備える、上記［Ｃ５１］に記載の装置。
［Ｃ５３］
前記ＲＮＴＩが、物理アップリンク制御チャネル（ＰＵＣＣＨ）ＲＮＴＩおよび物理アップリンク共有チャネル（ＰＵＳＣＨ）ＲＮＴＩのうちの少なくとも１つを備える、上記［Ｃ５１］に記載の装置。
［Ｃ５４］
各ＲＮＴＩが、前記１つまたは複数のコンポーネントキャリアについての１つまたは複数のＴＰＣインデックスに関連付けられ、前記１つまたは複数のＴＰＣインデックスが、前記コンポーネントキャリアの各々に関連付けられたＴＰＣコマンドのロケーションを特定するために使用される、上記［Ｃ５１］に記載の装置。
［Ｃ５５］
物理アップリンク共有チャネル（ＰＵＳＣＨ）に関する前記制御情報が、アップリンク許可に対応するダウンリンク制御情報（ＤＣＩ）メッセージ中で搬送される、上記［Ｃ５１］に記載の装置。
［Ｃ５６］
物理アップリンク制御チャネル（ＰＵＣＣＨ）に関する前記制御情報が、ダウンリンク許可に対応するダウンリンク制御情報メッセージ中で搬送される、上記［Ｃ５１］に記載の装置。
［Ｃ５７］
１つまたは複数の無線ネットワーク一時識別子（ＲＮＴＩ）と複数のコンポーネントキャリアとの間の関連付けを決定するための手段であって、各ＲＮＴＩが１つまたは複数のコンポーネントキャリアに関連付けられる、決定するための手段と、
１つまたは複数の送信電力制御（ＴＰＣ）コマンドを備える制御情報をユーザ機器（ＵＥ）に送信するための手段であって、前記制御情報は、前記ＴＰＣコマンドに従って電力が調整されるべきである対応する１つまたは複数のコンポーネントキャリアを前記ＵＥに示すために選択されたＲＮＴＩを使用して送信される、送信するための手段と
を備える、ワイヤレス通信のための装置。
［Ｃ５８］
無線リンク制御（ＲＬＣ）レイヤシグナリングを通じて前記１つまたは複数のＲＮＴＩと前記複数のコンポーネントキャリアとの間の前記関連付けのインジケーションを送信するための手段をさらに備える、上記［Ｃ５７］に記載の装置。
［Ｃ５９］
前記選択されたＲＮＴＩが物理アップリンク制御チャネル（ＰＵＣＣＨ）または物理アップリンク共有チャネル（ＰＵＳＣＨ）のうちの少なくとも１つに関係する、上記［Ｃ５７］に記載の装置。
［Ｃ６０］
各ＲＮＴＩが、前記１つまたは複数のコンポーネントキャリアについての１つまたは複数のＴＰＣインデックスに関連付けられ、前記１つまたは複数のＴＰＣインデックスが、前記コンポーネントキャリアの各々に関連付けられたＴＰＣコマンドのロケーションを特定するために使用される、上記［Ｃ５７］に記載の装置。
［Ｃ６１］
物理アップリンク共有チャネル（ＰＵＳＣＨ）に関する前記制御情報が、アップリンク許可に対応するダウンリンク制御情報（ＤＣＩ）メッセージ中で搬送される、上記［Ｃ５７］に記載の装置。
［Ｃ６２］
物理アップリンク制御チャネル（ＰＵＣＣＨ）に関する前記制御情報が、ダウンリンク許可に対応するダウンリンク制御情報メッセージ中で搬送される、上記［Ｃ５７］に記載の装置。
［Ｃ６３］
ユーザ機器（ＵＥ）において、１つまたは複数の送信電力制御（ＴＰＣ）コマンドを備えるダウンリンク制御情報（ＤＣＩ）メッセージを受信するための手段と、
対応する複数のコンポーネントキャリア上でのアップリンク送信の電力を調整するために使用すべき、前記ＤＣＩメッセージ中の１つまたは複数のＴＰＣコマンドを決定するための手段と、
前記決定されたＴＰＣコマンドに従って前記複数のコンポーネントキャリアの送信電力を調整するための手段と
を備える、ワイヤレス通信のための装置。
［Ｃ６４］
前記ＤＣＩメッセージは、異なるコンポーネントキャリアの電力を調整するために各々が使用される、複数のＴＰＣコマンドを備える、上記［Ｃ６３］に記載の装置。
［Ｃ６５］
前記ＤＣＩメッセージが、物理ダウンリンク共有チャネル（ＰＤＳＣＨ）に関するダウンリンク許可を備え、
前記許可されたＰＤＳＣＨに関する制御フィードバックが予想されるアップリンクキャリアの物理アップリンク制御チャネル（ＰＵＣＣＨ）にＴＰＣコマンドが適用される、上記［Ｃ６３］に記載の装置。
［Ｃ６６］
前記ＤＣＩメッセージが、アップリンク許可を備え、
前記許可が対象とするキャリアの物理アップリンク共有チャネル（ＰＵＳＣＨ）に、ＴＰＣコマンドが適用される、
上記［Ｃ６３］に記載の装置。
［Ｃ６７］
前記複数のコンポーネントキャリアの送信電力を調整するために、単一のＴＰＣコマンドが適用される、上記［Ｃ６３］に記載の装置。
［Ｃ６８］
ユーザ機器に割り当てられた対応する複数のコンポーネントキャリア上でのアップリンク送信の電力を調整するための１つまたは複数の送信電力制御（ＴＰＣ）コマンドを備える制御情報を決定するための手段と、
前記制御情報をダウンリンク制御情報（ＤＣＩ）メッセージ中で前記ＵＥに送信するための手段と
を備える、ワイヤレス通信のための装置。
［Ｃ６９］
前記ＤＣＩメッセージは、異なるコンポーネントキャリアの電力を調整するために各々が使用される、複数のＴＰＣコマンドを備える、上記［Ｃ６８］に記載の装置。
［Ｃ７０］
前記１つまたは複数のＴＰＣコマンドが、複数のコンポーネントキャリアに適用されるべき単一のＴＰＣコマンドを備える、上記［Ｃ６８］に記載の装置。
［Ｃ７１］
ユーザ機器（ＵＥ）において、送信電力制御（ＴＰＣ）コマンドのグループを備える制御情報を受信することと、
複数のＴＰＣインデックスに基づいて、前記グループから、対応する複数のコンポーネントキャリア上でのアップリンク送信の電力を調整するために使用すべき、１つまたは複数のＴＰＣコマンドを決定することと、
前記決定されたＴＰＣコマンドに従って前記複数のコンポーネントキャリアのうちの１つまたは複数の送信電力を調整することと
を行うように構成された少なくとも１つのプロセッサと、
前記少なくとも１つのプロセッサに結合されたメモリと
を備える、ワイヤレス通信のための装置。
［Ｃ７２］
１つまたは複数の送信電力制御（ＴＰＣ）インデックスと複数のコンポーネントキャリアとの間の関連付けを決定することであって、各インデックスが少なくとも１つのコンポーネントキャリアに関連付けられる、決定することと、
送信電力制御（ＴＰＣ）コマンドのグループを備える制御情報をユーザ機器（ＵＥ）に送信することであって、対応するコンポーネントキャリア上でのアップリンク送信の電力を調整するために前記ＵＥが使用する、前記グループ中の複数のＴＰＣコマンドのロケーションが、前記複数のＴＰＣインデックスに基づいて選択される、送信することと
を行うように構成された少なくとも１つのプロセッサと、
前記少なくとも１つのプロセッサに結合されたメモリと
を備える、ワイヤレス通信のための装置。
［Ｃ７３］
ユーザ機器（ＵＥ）において、１つまたは複数の無線ネットワーク一時識別子（ＲＮＴＩ）と複数のコンポーネントキャリアとの間の関連付けを決定することであって、各ＲＮＴＩが１つまたは複数のコンポーネントキャリアに関連付けられる、決定することと、
前記ＲＮＴＩのうちの１つを使用して、１つまたは複数の送信電力制御（ＴＰＣ）コマンドを備える制御情報を復号することと、
前記１つまたは複数のＴＰＣコマンドに従って、前記復号において使用される前記ＲＮＴＩに関連付けられた前記１つまたは複数のコンポーネントキャリアの送信電力を調整することと
を行うように構成された少なくとも１つのプロセッサと、
前記少なくとも１つのプロセッサに結合されたメモリと
を備える、ワイヤレス通信のための装置。
［Ｃ７４］
１つまたは複数の無線ネットワーク一時識別子（ＲＮＴＩ）と複数のコンポーネントキャリアとの間の関連付けを決定することであって、各ＲＮＴＩが１つまたは複数のコンポーネントキャリアに関連付けられる、決定することと、
１つまたは複数の送信電力制御（ＴＰＣ）コマンドを備える制御情報をユーザ機器（ＵＥ）に送信することであって、前記制御情報は、前記ＴＰＣコマンドに従って電力が調整されるべきである対応する１つまたは複数のコンポーネントキャリアを前記ＵＥに示すために選択されたＲＮＴＩを使用して送信される、送信することと
を行うように構成された少なくとも１つのプロセッサと、
前記少なくとも１つのプロセッサに結合されたメモリと
を備える、ワイヤレス通信のための装置。
［Ｃ７５］
ユーザ機器（ＵＥ）において、１つまたは複数の送信電力制御（ＴＰＣ）コマンドを備えるダウンリンク制御情報（ＤＣＩ）メッセージを受信することと、
対応する複数のコンポーネントキャリア上でのアップリンク送信の電力を調整するために使用すべき、前記ＤＣＩメッセージ中の１つまたは複数のＴＰＣコマンドを決定することと、
前記決定されたＴＰＣコマンドに従って前記複数のコンポーネントキャリアの送信電力を調整することと
を行うように構成された少なくとも１つのプロセッサと、
前記少なくとも１つのプロセッサに結合されたメモリと
を備える、ワイヤレス通信のための装置。
［Ｃ７６］
ユーザ機器に割り当てられた対応する複数のコンポーネントキャリア上でのアップリンク送信の電力を調整するための１つまたは複数の送信電力制御（ＴＰＣ）コマンドを備える制御情報を決定することと、
前記制御情報をダウンリンク制御情報（ＤＣＩ）メッセージ中で前記ＵＥに送信することと
を行うように構成された少なくとも１つのプロセッサと、
前記少なくとも１つのプロセッサに結合されたメモリと
を備える、ワイヤレス通信のための装置。
［Ｃ７７］
１つまたは複数のプロセッサによって実行可能な命令が記憶されたコンピュータ可読媒体を備える、ワイヤレス通信のためのコンピュータプログラム製品であって、前記命令が、
ユーザ機器（ＵＥ）において、送信電力制御（ＴＰＣ）コマンドのグループを備える制御情報を受信するための命令と、
複数のＴＰＣインデックスに基づいて、前記グループから、対応する複数のコンポーネントキャリア上でのアップリンク送信の電力を調整するために使用すべき、１つまたは複数のＴＰＣコマンドを決定するための命令と、
前記決定されたＴＰＣコマンドに従って前記複数のコンポーネントキャリアのうちの１つまたは複数の送信電力を調整するための命令と
を備える、ワイヤレス通信のためのコンピュータプログラム製品。
［Ｃ７８］
１つまたは複数のプロセッサによって実行可能な命令が記憶されたコンピュータ可読媒体を備える、ワイヤレス通信のためのコンピュータプログラム製品であって、前記命令が、
１つまたは複数の送信電力制御（ＴＰＣ）インデックスと複数のコンポーネントキャリアとの間の関連付けを決定するための命令であって、各インデックスが少なくとも１つのコンポーネントキャリアに関連付けられる、決定するための命令と、
送信電力制御（ＴＰＣ）コマンドのグループを備える制御情報をユーザ機器（ＵＥ）に送信するための命令であって、対応するコンポーネントキャリア上でのアップリンク送信の電力を調整するために前記ＵＥが使用する、前記グループ中の複数のＴＰＣコマンドのロケーションが、前記複数のＴＰＣインデックスに基づいて選択される、送信するための命令と
を備える、ワイヤレス通信のためのコンピュータプログラム製品。
［Ｃ７９］
１つまたは複数のプロセッサによって実行可能な命令が記憶されたコンピュータ可読媒体を備える、ワイヤレス通信のためのコンピュータプログラム製品であって、前記命令が、
ユーザ機器（ＵＥ）において、１つまたは複数の無線ネットワーク一時識別子（ＲＮＴＩ）と複数のコンポーネントキャリアとの間の関連付けを決定するための命令であって、各ＲＮＴＩが１つまたは複数のコンポーネントキャリアに関連付けられる、決定するための命令と、
前記ＲＮＴＩのうちの１つを使用して、１つまたは複数の送信電力制御（ＴＰＣ）コマンドを備える制御情報を復号するための命令と、
前記１つまたは複数のＴＰＣコマンドに従って、前記復号において使用される前記ＲＮＴＩに関連付けられた前記１つまたは複数のコンポーネントキャリアの送信電力を調整するための命令と
を備える、ワイヤレス通信のためのコンピュータプログラム製品。
［Ｃ８０］
１つまたは複数のプロセッサによって実行可能な命令が記憶されたコンピュータ可読媒体を備える、ワイヤレス通信のためのコンピュータプログラム製品であって、前記命令が、
１つまたは複数の無線ネットワーク一時識別子（ＲＮＴＩ）と複数のコンポーネントキャリアとの間の関連付けを決定するための命令であって、各ＲＮＴＩが１つまたは複数のコンポーネントキャリアに関連付けられる、決定するための命令と、
１つまたは複数の送信電力制御（ＴＰＣ）コマンドを備える制御情報をユーザ機器（ＵＥ）に送信するための命令であって、前記制御情報は、前記ＴＰＣコマンドに従って電力が調整されるべきである対応する１つまたは複数のコンポーネントキャリアを前記ＵＥに示すために選択されたＲＮＴＩを使用して送信される、送信するための命令と
を備える、ワイヤレス通信のためのコンピュータプログラム製品。
［Ｃ８１］
１つまたは複数のプロセッサによって実行可能な命令が記憶されたコンピュータ可読媒体を備える、ワイヤレス通信のためのコンピュータプログラム製品であって、前記命令が、
ユーザ機器（ＵＥ）において、１つまたは複数の送信電力制御（ＴＰＣ）コマンドを備えるダウンリンク制御情報（ＤＣＩ）メッセージを受信するための命令と、
対応する複数のコンポーネントキャリア上でのアップリンク送信の電力を調整するために使用すべき、前記ＤＣＩメッセージ中の１つまたは複数のＴＰＣコマンドを決定するための命令と、
前記決定されたＴＰＣコマンドに従って前記複数のコンポーネントキャリアの送信電力を調整するための命令と
を備える、ワイヤレス通信のためのコンピュータプログラム製品。
［Ｃ８２］
１つまたは複数のプロセッサによって実行可能な命令が記憶されたコンピュータ可読媒体を備える、ワイヤレス通信のためのコンピュータプログラム製品であって、前記命令が、
ユーザ機器に割り当てられた対応する複数のコンポーネントキャリア上でのアップリンク送信の電力を調整するための１つまたは複数の送信電力制御（ＴＰＣ）コマンドを備える制御情報を決定するための命令と、
前記制御情報をダウンリンク制御情報（ＤＣＩ）メッセージ中で前記ＵＥに送信するための命令と
を備える、ワイヤレス通信のためのコンピュータプログラム製品。
【図１】
0005596161.tif 000004
【図２】
0005596161.tif 000005
【図３】
0005596161.tif 000006
【図４】
0005596161.tif 000007
【図５】
0005596161.tif 000008
【図６】
0005596161.tif 000009
【図７】
0005596161.tif 000010
【図８】
0005596161.tif 000011
【図９】
0005596161.tif 000012
【図１０】
0005596161.tif 000013
【図１１】
0005596161.tif 000014
【図１２】
0005596161.tif 000015
【図１３】
0005596161.tif 000016
【図１４】
0005596161.tif 000017